(57)【要約】【課題】外部装置との間で無線通信を行う無線通信機能を具備したデジタルカメラにおいて従来使用の機器に登録済みの認証情報を簡単な操作を行うのみで新規導入機器に容易に引き継ぎ得るデジタルカメラを提供する。【解決手段】被写体を撮影する撮影手段と、撮影手段で撮影された画像を着脱自在の記録媒体１６に記憶する画像記憶手段と、外部装置と無線通信により情報の送受信を行う通信手段と、外部装置と通信するための通信設定情報１９ａを記憶する通信設定メモリ１９と、通信設定メモリに記憶された通信設定情報のうち通信手段に関する第１の通信設定情報に基づいて外部装置との通信を確立し、この確立された通信を利用して外部装置との通信を確立するための第２の通信設定情報を自動的に生成する通信制御手段と、第２の通信設定情報を通信設定メモリに記憶する設定記憶手段とを有して構成する。【選択図】図１
2008147891.tif 000002
【特許請求の範囲】
【請求項１】
被写体を撮影する撮影手段と、
上記撮影手段で撮影された画像を着脱自在の記録媒体に記憶する画像記憶手段と、
外部装置と無線通信により情報の送受信を行う通信手段と、
上記外部装置と通信するための通信設定情報を記憶する通信設定メモリと、
上記通信設定メモリに記憶された通信設定情報のうち上記通信手段に関する第１の通信設定情報に基づいて上記外部装置との通信を確立し、この確立された通信を利用して上記外部装置との通信を確立するための第２の通信設定情報を自動的に生成する通信制御手段と、
上記第２の通信設定情報を上記通信設定メモリに記憶する設定記憶手段と、
を有することを特徴とするデジタルカメラ。
【請求項２】
上記通信制御手段は、上記第１の通信設定情報により確立した上記外部装置との通信を切断した後、新たに上記第２の通信設定情報により上記外部装置との通信を確立する通信切換手段を有してなることを特徴とする請求項１に記載のデジタルカメラ。
【請求項３】
上記通信設定情報を上記通信設定メモリに記憶した後、上記記録媒体から上記通信設定情報を削除する設定情報削除手段を、さらに有してなることを特徴とする請求項１に記載のデジタルカメラ。
【請求項４】
上記通信設定メモリに記憶されている通信設定情報であって、少なくとも一つの外部装置と通信を行うための通信設定情報を、上記記録媒体に記憶する第２の設定記憶手段を、さらに有してなることを特徴とする請求項１に記載のデジタルカメラ。
【請求項５】
被写体を撮影する撮影手段と、
上記撮影手段で撮影された画像を記憶する画像メモリと、
外部装置と無線通信により情報の送受信を行う通信手段と、
上記外部装置と通信するための通信設定情報を記憶する通信設定メモリと、
上記通信設定メモリに記憶されている第１の通信設定情報により第１の外部装置との通信を確立し、確立された通信を利用して上記第１の外部装置に記憶されている他の外部装置との通信のための第２の通信設定情報を自動的に取得する通信制御手段と、
上記第２の通信設定情報を上記通信設定メモリに記憶する設定記憶手段と、
を有することを特徴とするデジタルカメラ。
【請求項６】
上記通信設定メモリに記憶されている通信設定情報であって、通信可能に設定されている全ての外部装置との通信のための通信設定情報を、上記通信手段により、それら外部装置の一つに伝送する設定情報伝送手段を、
さらに有してなることを特徴とする請求項５に記載のデジタルカメラ。
【請求項７】
被写体を撮影する撮影手段と、
上記撮影手段で撮影された画像を記憶する画像メモリと、
外部装置と無線により情報を送受信する第１の通信手段と、
外部装置と有線により情報を送受信する第２の通信手段と、
上記第１の通信手段により上記外部装置と通信するための通信設定情報を記憶する通信設定メモリと、
上記第２の通信手段により接続された他のデジタルカメラに記憶されている通信設定情報を取得する通信設定情報取得手段と、
上記通信設定情報取得手段で取得した上記通信設定情報を上記通信設定メモリに記憶する設定記憶手段と、
を有することを特徴とするデジタルカメラ。
【請求項８】
上記通信設定メモリに記憶されている通信設定情報であって、上記第１の通信手段で通信可能に設定されている全ての外部装置との通信のための通信設定情報を、上記第２の通信手段により送信する設定情報送信手段と、
上記設定情報送信手段で送信した通信設定情報を上記通信設定メモリから消去する通信設定情報削除手段と、
をさらに有してなることを特徴とする請求項７に記載のデジタルカメラ。
【発明の詳細な説明】
【技術分野】
【０００１】
この発明は、デジタルカメラ、詳しくは外部装置との間で無線通信を行うための無線通信機能を具備するデジタルカメラに関するものである。
【背景技術】
【０００２】
従来、外部装置との間で無線による通信を行うための無線通信機能を具備するデジタルカメラ等の無線機器においては、外部装置との間で無線通信を行うのに先立って機器間の認証作業が必須となる。
【０００３】
また、ある特定の一つの無線機器（例えばデジタルカメラ）が無線通信機能を用いてデータ等の送受信を行い得る相手先となる外部装置は、必ずしも特定の一つの装置のみに限らず、複数存在する場合がある。したがって、上述の認証作業は、無線通信を行う対象となる外部装置毎に個別に実行する必要がある。
【０００４】
この場合において、外部装置との間で無線通信を行う際に、対象装置が異なる場合、その都度、複雑な認証作業を行うのは効率的なことではない。そこで、従来の無線機器においては、一度、認証作業を行って通信を確立した対象装置であれば、その無線通信接続のための通信設定情報としての認証情報を、無線機器内部に設けられる不揮発性メモリ等に登録情報として記憶しておくように構成されたものがある。
【０００５】
これにより、無線通信を行う対象機器が複数存在する場合にも、登録済みの複数の認証情報から対象機器に適合する認証情報を機器内部の記憶手段より適宜読み出して利用することによって、容易にかつ迅速に無線通信を確立することができるようになる。
【発明の開示】
【発明が解決しようとする課題】
【０００６】
ところが、近年、デジタルカメラ等の機器においては、その製品サイクルが短くなる傾向にある。したがって、無線通信機能を具備したデジタルカメラを所有する使用者が、そのデジタルカメラを使用する際に、複数の外部装置との間で無線通信を利用しているような場合、従来使用しているデジタルカメラ（無線機器）に代えて、例えば新しい別のデジタルカメラ（別の無線機器）に買い換えたとすると、この新規に導入したデジタルカメラ（無線機器）を用いて従来通りの使用を行おうとする時、通信の相手先となる複数の外部装置（即ち、従来利用していた複数の外部装置）との間で無線通信を確立させるための認証作業を、改めて各外部装置毎にそれぞれ個別に設定し直す必要が生じてしまう。
【０００７】
しかしながら、その認証作業自体は、これまで使用していたデジタルカメラ（無線機器）において、既に一度行っている作業であって、今回、新規導入機器においても全く同様の認証作業を行わなければならないというのは、非効率的であり、その新規導入機器の使用感を損ねてしまうことになりかねないという問題点がある。
【０００８】
そこで、簡単な手法として通信に必要な認証情報を媒体等を利用して、そのままコピーすることによって新しい機器に認証情報を引き継ぐ方法が考えられる。しかしながら、最新の無線通新方式においては、通信のセキュリティを確保するために、機器間で保持する認証情報にはそれぞれの機器に固有の番号（ＣＤＩＤ：Ｃonnection Ｄevice ＩＤ）が含まれており、単純に認証情報をコピーしただけでは、認証情報の引き継ぎが達成できないようになっている。
【０００９】
本発明は、上述した点に鑑みてなされたものであって、その目的とするところは、外部装置との間で無線通信を行い得る無線通信機能を具備したデジタルカメラにおいて、例えば無線通信を行う機器を買い換えた場合等において、従来使用の機器に登録済みの無線通信接続のための認証情報を、簡単な操作を行うのみで新規導入の機器に対して容易に引き継ぐことのできるデジタルカメラを提供することである。
【課題を解決するための手段】
【００１０】
上記目的を達成するために、本発明によるデジタルカメラは、被写体を撮影する撮影手段と、上記撮影手段で撮影された画像を着脱自在の記録媒体に記憶する画像記憶手段と、外部装置と無線通信により情報の送受信を行う通信手段と、上記外部装置と通信するための通信設定情報を記憶する通信設定メモリと、上記通信設定メモリに記憶された通信設定情報のうち上記通信手段に関する第１の通信設定情報に基づいて上記外部装置との通信を確立し、この確立された通信を利用して上記外部装置との通信を確立するための第２の通信設定情報を自動的に生成する通信制御手段と、上記第２の通信設定情報を上記通信設定メモリに記憶する設定記憶手段と、を有することを特徴とする。
【発明の効果】
【００１１】
本発明によれば、外部装置との間で無線通信を行い得る無線通信機能を具備したデジタルカメラにおいて、例えば無線通信を行う機器を買い換えた場合等において、従来使用の機器に登録済みの無線通信接続のための認証情報を、簡単な操作を行うのみで新規導入の機器に対して容易に引き継ぐことのできるデジタルカメラを提供することができる。
【発明を実施するための最良の形態】
【００１２】
以下、図示の実施の形態によって本発明を説明する。
【００１３】
図１は、本発明の第１の実施形態のデジタルカメラの主な構成を示すブロック構成図である。図２は、本実施形態のデジタルカメラにおいて登録されるＷＵＳＢ認証情報のデータ形態の一例を示す概念図である。図３〜図６は、本実施形態のデジタルカメラにおいて、使用中のデジタルカメラから別のデジタルカメラへ認証情報を引き継ぐ際の作用を示す図である。このうち、図３は、「認証情報データのバックアップ」処理を示すフローチャートである。図４は、「認証情報データのリストア」処理を示すフローチャートである。図５は、新カメラによる最初の「ＷＵＳＢ接続」処理を示すフローチャートである。図６は、「ＷＵＳＢデータ通信」処理を示すフローチャートである。
【００１４】
本実施形態のデジタルカメラは、レンズによって形成される被写体像を受光して、これを光電変換し電子的な画像データとして記録することができ、かつ外部装置（例えばパーソナルコンピュータや外部ストレージ装置又は他のデジタルカメラ等）との間で無線通信を行うための無線通信機能を具備する無線機器である。
【００１５】
このデジタルカメラは、図１に示すように、レンズ１と、撮像素子２と、撮像回路３と、Ａ／Ｄ変換器（図１では単に「Ａ／Ｄ」と表記している）４と、信号処理回路５と、フレームメモリ６と、ＦＩＦＯメモリ７と、ＴＦＴ液晶駆動回路９と、ＴＦＴパネル１０と、バックライトユニット１１と、ビデオ出力回路１２と、ビデオ出力端子１３と、記録バッファ１４と、記録媒体インターフェース（記録媒体Ｉ／Ｆ）１５と、画像メモリである記録媒体１６と、アクチュエータ１７と、アクチュエータ駆動回路１８と、外部有線データインターフェース（外部有線データＩ／Ｆ）２２と、キーマトリクス２３と、ＬＣＤ表示回路２４と、ＬＣＤパネル２５と、電池２６と、電源回路２７と、バックアップ電源２８と、電池状態検出回路２９と、第１ＣＰＵ３１と、第２ＣＰＵ３２と、ＥＥＰＲＯＭ１９と、外部無線データインターフェース（Ｉ／Ｆ）２０と、無線アンテナ２１等によって主に構成されている。
【００１６】
レンズ１は、光学的な被写体像を形成し、これを撮像素子２の受光面上に結像させるために設けられるものである。
【００１７】
撮像素子２は、レンズ１によって形成される光学的な被写体像を受けて光電変換処理を行って、電気的な画像信号を出力する素子である。この撮像素子２としては、高速読み出しを行うことができるタイプの固体撮像素子であって、例えばＣＣＤ（電荷結合素子），ＣＭＯＳ（相補型金属酸化膜半導体）あるいはその他の各種のタイプの撮像素子が適用され得る。
【００１８】
撮像回路３は、撮像素子２からの出力信号を受けて、その画像信号に対して各種のアナログ信号処理を行う電子回路である。
【００１９】
Ａ／Ｄ変換器４は、撮像回路３から出力されるアナログ形式の画像信号を受けて、デジタル形式の画像信号に変換するための回路である。
【００２０】
なお、本実施形態のデジタルカメラにおいては、上述のレンズ１，撮像素子２，撮像回路３，Ａ／Ｄ変換器４等によって、被写体を撮影する撮影手段の主要部が構成される。
【００２１】
信号処理回路５は、Ａ／Ｄ変換器４から出力されたデジタル形式の画像信号を受けて、各種のデジタル的な信号処理を行う回路である。
【００２２】
フレームメモリ６は、信号処理回路５によって処理された画像信号を受けて、処理済の画像信号や、この画像信号に関する各種データ等を一時的に記憶する一時記憶手段である。このフレームメモリ６としては、例えばＳＤＲＡＭ等の半導体記憶素子等が適用される。
【００２３】
ＦＩＦＯメモリ７は、画像信号を各種の表示装置へ向けて出力する際に、当該画像信号の一時的な記憶を行うために設けられるメモリである。
【００２４】
ＴＦＴ液晶駆動回路９は、ＦＩＦＯメモリ７から出力される画像信号を受けてＴＦＴパネル１０を制御する回路である。
【００２５】
ＴＦＴパネル１０は、ＴＦＴ液晶駆動回路９の制御によって画像信号に基づく画像や当該デジタルカメラにおける各種の情報等を表示するための表示部であり、カラー表示可能なものが用いられる。
【００２６】
バックライトユニット１１は、ＴＦＴパネル１０の背面側に設けられ、当該ＴＦＴパネル１０を背面側から照明するためのものである。
【００２７】
なお、本実施形態のデジタルカメラにおいては、上述のＴＦＴ液晶駆動回路９，ＴＦＴパネル１０，バックライトユニット１１等によって、上記撮影手段により撮影された被写体像を電子的な画像として表示する表示手段の主要部が構成される。
【００２８】
ビデオ出力回路１２は、ＦＩＦＯメモリ７からの画像信号を受けて、例えばＮＴＳＣ形式のビデオ信号に変換し、ビデオ出力端子１３を介して、当該ビデオ出力端子１３に接続される外部表示装置等へ出力するための回路である。
【００２９】
ビデオ出力端子１３は、本デジタルカメラと外部表示装置等との間を電気的に接続するビデオケーブル等の信号線を接続するための接続端子である。
【００３０】
記録バッファ１４は、フレームメモリ６に一時的に記憶されている画像信号等を記録媒体１６に画像データとして記録するとき、若しくは記録媒体１６から画像データを読み出してフレームメモリ６に一時的に記憶するとき等に用いられるバッファ（一時保存領域）である。
【００３１】
記録媒体Ｉ／Ｆ１５は、記録媒体１６への画像データ等の記録処理や、記録媒体１６からの画像データ等の読み出し処理等を制御するためのものである。
【００３２】
記録媒体１６は、画像データやその他の各種データを記録するための不揮発性の記録媒体、例えば薄板形状，カード形状からなるメモリカード等である。この記録媒体１６としては、例えばデジタルカメラ等の機器に対して着脱自在とする形態のものや、デジタルカメラ等の機器内部の電気回路に固設されている形態のもの等、様々な形態のものがあり、いずれの形態のものでも、本実施形態のデジタルカメラに適用し得る。
【００３３】
なお、本実施形態のデジタルカメラにおいては、記録媒体１６はカメラに対して着脱自在に配置される形態のものが用いられている。
【００３４】
上述の記録バッファ１４，記録媒体Ｉ／Ｆ１５等によって、上記撮影手段で撮影された画像に関する画像信号及びその付随データ等を所定の形態のデータとして記録媒体１６に記憶する画像記憶手段の主要部が構成される。
【００３５】
アクチュエータ１７は、レンズ１を駆動して、オートフォーカス動作を行ったりあるいはズーミング動作を行ったりするための駆動源である。
【００３６】
アクチュエータ駆動回路１８は、第１ＣＰＵ３１の制御に基づいてアクチュエータ１７を制御し駆動する回路である。
【００３７】
外部有線データインターフェース（外部有線データＩ／Ｆ）２２は、本デジタルカメラと外部装置との間においてデータ等の送受信を接続ケーブル等を介して行うための接続部分（インターフェース）であって、例えばＵＳＢ（（Ｕniversal Ｓerial Ｂus））規格やＩＥＥＥ１３９４等に準拠したものが適用される。
【００３８】
この外部有線データインターフェース（外部有線データＩ／Ｆ）２２及び接続ケーブル（図示せず）によって、外部装置と有線により情報を送受信する第２の通信手段の主要部が構成される。
【００３９】
キーマトリクス２３は、本実施形態のデジタルカメラに設けられる各種の操作スイッチや操作ボタン等を含む操作入力手段の総称として用いている。即ち、キーマトリクス２３の具体的な構成例は、例えば当該デジタルカメラの電源状態をオン又はオフ状態に切り換える電源ボタンや、撮影動作を開始させるレリーズボタン、メニュー画面などの選択設定を行う四方向選択キー（十字キーともいう）等等、各種の操作部材とこれらの操作部材のそれぞれに連動し所定の指示信号を発生させるスイッチ部材及び各スイッチ部材からの指示信号を伝達する電気回路等である。このキーマトリクス２３の各操作部材が操作されることによって発生した信号は、第１ＣＰＵ３１に向けて出力されるようになっている。
【００４０】
ＬＣＤ表示回路２４は、第１ＣＰＵ３１の制御に基づいてＬＣＤパネル２５を制御し、これに各種の情報表示を行わせる回路である。
【００４１】
ＬＣＤパネル２５は、例えばモノクロＬＣＤ等によって構成され、当該デジタルカメラにおいて設定済みの各種設定情報、例えば撮影モード等の動作モード情報や、記録媒体１６に記録可能な画像の枚数情報，撮影時のシャッタ速度や絞り値等の露出に関する情報等を表示する情報表示部材である。
【００４２】
電池２６は、当該デジタルカメラにおける主（メイン）電源である。
【００４３】
バックアップ電源２８は、当該デジタルカメラの内部メモリや内部時計等に対して常に電力を供給するために設けられ、例えば本デジタルカメラにおける各種の設定値等の情報や日時情報等を保持したり、日付表示を上記ＬＣＤパネル２５等を用いて常時行い得るようにするための副（サブ）電源である。
【００４４】
電源回路２７は、第１ＣＰＵ３１の指令に基づいて上記電池２６及び上記バックアップ電源２８からの電源を受けて、本デジタルカメラの内部の各電気回路へと適宜供給する制御を行う回路である。
【００４５】
電池状態検出回路２９は、電池２６における電圧等、当該電池２６の状態を検出して、同電池２６の電池残量等を算出し、その結果を第１ＣＰＵ３１へと出力する回路である。
【００４６】
第１ＣＰＵ３１は、主（メイン）ＣＰＵとして配設されているものである。この第１ＣＰＵ３１は、本実施形態のデジタルカメラにおける各回路を統括的に制御するための制御手段である。そのために、本デジタルカメラの第１ＣＰＵ３１は、同デジタルカメラにおけるシステム全体を適宜制御（コントロール）するためのシステムコントロール部３１ａを備えている。
【００４７】
このシステムコントロール部３１ａの内部には、各種の電気回路等、即ち認証情報バックアップ／リストア機能部３１ｂ，認証情報暗号通信機能部３１ｃ，ＷＵＳＢ（Ｗiress Ｕnivirsal Sireal Bus）通信制御機能部３１ｄ等、例えば外部装置と無線通信を行うための機能部を始めとして各種の機能を実現する制御回路が構成されている。
【００４８】
上記第１ＣＰＵ３１は、主に制御を行うようになっている。その一方、第２ＣＰＵ３２は、主に画像データを扱う各種の処理制御を行うようになっている。
【００４９】
即ち、第２ＣＰＵ３２は、フレームメモリ６に記憶されている画像データを受けて、各種の信号処理を施す回路である。この第２ＣＰＵ３２は、画像圧縮伸張部３２ｃ，記録媒体アクセス部３２ｄ等を有して構成されている。
【００５０】
画像圧縮伸張部３２ｃは、フレームメモリ６に記憶されている画像データ等を読み出して、例えばＪＰＥＧ圧縮処理等を行ったり、記録媒体１６から読み出された圧縮画像データ等の伸張処理等を行うものである。
【００５１】
記録媒体アクセス部３２ｄは、記録媒体インターフェース１５による記録媒体１６へのアクセスを制御するための回路部である。
【００５２】
ＥＥＰＲＯＭ１９は、第１ＣＰＵ３１，第２ＣＰＵ３２により実行される処理プログラム（アプリケーションソフトウエア）等や、外部装置と通信するための通信設定情報等のデータ等等、本デジタルカメラにおける各種の設定データや固有データ等を記憶し保持するための不揮発性記憶媒体であって、通信設定メモリとしての役目をしている。ＥＥＰＲＯＭ１９としては、例えばフラッシュロム（ＦｌａｓｈＲＯＭ）等が適用される。なお、ＥＥＰＲＯＭ１９に保持されるデータのうち、外部装置と通信するための通信設定情報としては、例えば通信手段に関するＷＵＳＢ認証情報１９ａや、当該デジタルカメラを特定するための固有ＩＤ番号であるＣＤＩＤ（Ｃonnection Ｄevice ＩＤ）情報１９ｂ等のデータである。
【００５３】
本実施形態のデジタルカメラにおいては、複数の外部装置（ホスト；Ｈｏｓｔ）に対して個別選択的に無線通信を行なうことができるようになっている。そのために、通信相手となる外部装置毎の複数のＷＵＳＢ認証情報１９ａからなるＷＵＳＢ認証情報データベース（以下、単に認証情報データという）が、例えば、図２に示すような形態でＥＥＰＲＯＭ１９の所定の領域に記憶され保持されている。
【００５４】
ＥＥＰＲＯＭ１９に登録される認証情報データは、装置固有の各種の情報、即ち「ＣＣ（Ｃonnection Ｃontext）」と付帯情報（例えば外部装置（ホスト；Ｈｏｓｔ）の外観を撮影した画像データ等）等のデータが、無線通信を行う相手となる外部装置（ホスト）毎にグループ化された形態のデータベース形式で登録されている。
【００５５】
この「ＣＣ」に含まれる情報としては、「ＣＨＩＤ（Ｃonnection Ｈost ＩＤ；接続ホストＩＤ）」，「ＣＤＩＤ（Ｃonnection Ｄevice ＩＤ；接続デバイスＩＤ）」，「ＣＫ（Ｃonnection Ｋey；接続鍵）」等がある。
【００５６】
無線アンテナ２１は、本デジタルカメラと外部装置との間で無線によるデータ通信等を行うのに際して、外部装置から発信される所定の形態の電磁波等の無線信号を受信すると共に、本デジタルカメラから発信する所定の形態の電磁波等の無線信号を送信する無線信号の入出力部である。無線アンテナ２１は、外部無線データインターフェース２０に接続されていて、送受信した無線信号を外部無線データインターフェース２０へと入出力するようになっている。
【００５７】
外部無線データインターフェース（Ｉ／Ｆ）２０は、無線アンテナ２１と第１ＣＰＵ３１との間に介在し、上記無線アンテナ２１により入力された無線信号を所定の形態の電気信号に変換して、第１ＣＰＵ３１へ出力したり、第１ＣＰＵ３１の信号を無線信号に変換して無線アンテナ２１へ出力する無線通信接続部（インターフェース）である。
【００５８】
上記無線アンテナ２１，外部無線データインターフェース（Ｉ／Ｆ）２０等及び第１ＣＰＵ３１のシステムコントロール部３１ａの認証情報バックアップ／リストア機能部３１ｂ，認証情報暗号通信機能部３１ｃ，ＷＵＳＢ通信制御機能部３１ｄ等等によって、外部装置と無線通信により情報の送受信を行う通信手段であり第１の通信手段の主要部が構成される。
【００５９】
また、このうちＷＵＳＢ通信制御機能部３１ｄは、特に外部装置との通信を確立するための通信設定情報を自動的に生成する通信制御手段としての役目もしている。
【００６０】
そしてまた、認証情報バックアップ／リストア機能部３１ｂは、特に通信設定情報を通信設定メモリ（ＥＥＰＲＯＭ１９）に記憶する設定記憶手段としての機能を有している。
【００６１】
またさらに、認証情報バックアップ／リストア機能部３１ｂは、通信設定メモリ（ＥＥＰＲＯＭ１９）に記憶されている通信設定情報（認証情報データ）であって、少なくとも一つの外部装置と通信を行うための通信設定情報（認証情報データ）を、記録媒体１６に記憶する第２の設定記憶手段としての機能を有している。
【００６２】
その他、本発明に関連しない部分の構成については、通常一般のデジタルカメラと同様の構成となっているものとして、その詳細は、図示及び説明を省略する。
【００６３】
このように構成された本実施形態のデジタルカメラにおいては、登録済みの認証情報データを含む通信設定情報について、他のデジタルカメラ等に対して引き継ぎを行うことができるようになっている。
【００６４】
例えば、図１に示す構成を具備するデジタルカメラを使用している所有者が、新たに同様の構成を具備するデジタルカメラを新規に導入した場合において、使用中のデジタルカメラ（以下、旧カメラと言う）に登録されている認証情報データを、新規に導入したデジタルカメラ（以下、新カメラという）に対して引き継ぐことができる。
【００６５】
この場合において、認証情報データを引き継ぐ際の手順の流れとしては、
（１）まず、旧カメラにおいて、ＥＥＰＲＯＭ１９に登録保持されている認証情報データ等を含む通信設定情報（通信手段に関する第１の通信設定情報という）を、着脱自在の記録媒体１６に記録する。（認証情報データバックアップ；図３参照）
（２）その後、この記録媒体１６を旧カメラから取り外す。
【００６６】
（３）次いで、同記録媒体１６を新カメラに装着する。
【００６７】
（４）そして、新カメラにおいて、同記録媒体１６から認証情報データ等を含む通信設定情報を読み込み、同データを一時的に新カメラ内部の一時記憶メモリに記憶させると同時に、ＥＥＰＲＯＭ１９に記憶させる。（認証情報データリストア；図４参照）
（５）次に、新カメラにおいて、上記（４）項でＥＥＰＲＯＭ１９に記憶させた認証情報データ（旧カメラに対応している認証情報データ）を利用して、新カメラと外部装置との最初の無線接続を実行する。（ＷＵＳＢ接続；図５参照）
（６）接続が確立した後のＷＵＳＢデータ通信処理において暗号化通信による再認証処理を実行して認証情報データを更新し、これをＥＥＰＲＯＭ１９に書き込み記憶させる。（ＷＵＳＢ接続；図６参照）
（７）こうして登録し直した新しい認証情報（第２の通信設定情報）を用いて、次回からの外部装置との無線通信を確立し適宜データ通信を行う。
【００６８】
このようにして、旧カメラにおける認証情報（通信設定情報）を、新カメラに対して簡単に引き継ぐことができ、よって、従来使用していたのと同様の設定で、新規に導入したカメラを用いて無線通通信を利用することができるようになる。
【００６９】
ここで、本実施形態のデジタルカメラにおいて、認証情報データを引き継ぐ際の具体的な処理の流れを、図３〜図６を用いて以下に説明する。
【００７０】
まず、図３によって「認証情報データのバックアップ」処理について説明する。この処理は、上述の（１）項で示す処理である。
【００７１】
即ち、旧カメラの電源がオン状態となっており同カメラが所定の動作モード（例えばデータバックアップ動作モード等）で使用可能な状態にあるときに、図３の「認証情報データのバックアップ」処理が実行される。そのために、本カメラの使用者は、所定の操作、例えばキーマトリクス２３に含まれるメニュー表示操作切換ボタンを操作して、表示部にメニュー画面を表示させ、このメニュー画面において、認証情報データをバックアップするための動作モードを指示する項目を選択指示する。これにより、本カメラは認証情報データバックアップ動作モードで動作するようになる。
【００７２】
この状態において、まず、図３に示すステップＳ１において、第１ＣＰＵ３１のシステムコントロール部３１ａの認証情報バックアップ／リストア機能部３１ｂは、ＥＥＰＲＯＭ１９に記憶保持されている認証情報データを読み込んで所定の確認処理を行う。その後、次のステップＳ２の処理に進む。
【００７３】
ステップＳ２において、認証情報バックアップ／リストア機能部３１ｂは、上述のステップＳ１の処理にてＥＥＰＲＯＭ１９から読み込んだ認証情報データについて、正しい形態の（正規の）認証情報データが存在するか否かの確認を行う。ここで、認証情報バックアップ／リストア機能部３１ｂは、正規の認証情報データが存在すると判断した場合には、ステップＳ３の処理に進む。
【００７４】
一方、このステップＳ２において、認証情報バックアップ／リストア機能部３１ｂは、正規の認証情報データが存在しないと判断した場合には、ステップＳ８の処理に進む。
【００７５】
そして、ステップＳ８において、第１ＣＰＵ３１は、所定の認証情報エラー表示処理を実行する。この認証情報エラー表示処理は、例えば第１ＣＰＵ３１がＴＦＴ液晶駆動回路９若しくはＬＣＤ表示回路２４を制御して、ＴＦＴパネル１０若しくはＬＣＤパネル２５の表示部において、所定のエラー表示を行うといった処理である（詳細は省略する）。その後、一連の処理を終了する。
【００７６】
上述のステップＳ２の処理において、正規の認証情報データであることが確認されて、次のステップＳ３の処理に進むと、このステップＳ３において、認証情報バックアップ／リストア機能部３１ｂは、上述のステップＳ１の処理においてＥＥＰＲＯＭ１９より読み込んだ認証情報データを記録媒体１６に記録するバックアップ処理を実行する。この場合において、認証情報データは、第１ＣＰＵ３１のシステムコントロール部３１ａの認証情報バックアップ／リストア機能部３１ｂから第２ＣＰＵ３２，記録バッファ１４，記録媒体インターフェース１５を介して記録媒体１６へと伝送され、当該記録媒体１６の所定の記憶領域に所定の形態で記憶される。その後、次のステップＳ４の処理に進む。
【００７７】
ステップＳ４において、第１ＣＰＵ３１は、上述のステップＳ３の処理にて記録媒体１６に書き込んだ認証情報データを同記録媒体１６から読み込む処理（ベリファイ処理）を実行する。その後、次のステップＳ５の処理に進む。
【００７８】
ステップＳ５において、第１ＣＰＵ３１は、上述のステップＳ４の処理にて読み込んだ認証情報データが正常であるかを確認し、さらに、同データとＥＥＰＲＯＭ１９から読み込んだ認証情報データ（読み込み元となったデータ）とを比較し同一であるか否かを確認するコンペア処理を実行する。その後、次のステップＳ６の処理に進む。
【００７９】
ステップＳ６において、第１ＣＰＵ３１は、上述のステップＳ５にて実行したコンペア処理の結果についての判断を行う。ここで、コンペア処理が正常終了していると判断されたら、次のステップＳ７の処理に進む。
【００８０】
一方、上述のステップＳ６の処理において、第１ＣＰＵ３１は、コンペア処理が異常終了していると判断した場合には、ステップＳ９の処理に進む。
【００８１】
そして、このステップＳ９において、第１ＣＰＵ３１は、所定のバックアップエラー表示処理を実行する。このバックアップエラー表示処理は、例えば第１ＣＰＵ３１がＴＦＴ液晶駆動回路９若しくはＬＣＤ表示回路２４を制御して、ＴＦＴパネル１０若しくはＬＣＤパネル２５の表示部において、所定のエラー表示を行うといった処理である（詳細は省略する）。その後、一連の処理を終了する。
【００８２】
上述のステップＳ６の処理において、コンペア処理の正常終了が確認されて、次のステップＳ７に進むと、このステップＳ７において、第１ＣＰＵ３１は、ＥＥＰＲＯＭ１９の認証情報データを消去（削除）する処理を実行する。その後、一連の処理を終了する。
【００８３】
この一連の「認証情報データのバックアップ」処理によって、従来旧カメラが持っていた認証情報データは、記録媒体１６に記憶保持されると共に、旧カメラのＥＥＰＲＯＭ１９からは、同認証情報データが消去される。
【００８４】
次に、上述のようにして記録媒体１６に記憶保持された認証情報データを、新カメラのＥＥＰＲＯＭ１９に書き込む「認証情報データのリストア」処理を行う。この処理が上述の（４）項で示す処理である。
【００８５】
これに先立って、上述の図３の「認証情報データのバックアップ」処理の完了後、上述の（２）−（３）項で示すように、記録媒体１６を旧カメラから新カメラへと入れ換える。そして、図４に示す「認証情報データのリストア」処理を実行する。
【００８６】
即ち、新カメラの電源がオン状態となっており同カメラが所定の動作モード（例えばデータリストア動作モード等）で使用可能な状態にあるときに、図４の「認証情報データのリストア」処理が実行される。そのために、本カメラの使用者は、所定の操作、例えばキーマトリクス２３に含まれるメニュー表示操作切換ボタンを操作して、表示部にメニュー画面を表示させ、このメニュー画面において、認証情報データをリストアするための動作モードを指示する項目を選択指示する。これにより、本カメラは認証情報データリストア動作モードで動作するようになる。
【００８７】
この状態において、まず、図４に示すステップＳ１１において、新カメラの第１ＣＰＵ３１のシステムコントロール部３１ａの認証情報バックアップ／リストア機能部３１ｂは、記録媒体インターフェース１５を介して記録媒体１６に記憶保持されている認証情報データの確認処理を行う。その後、次のステップＳ１２の処理に進む。
【００８８】
ステップＳ１２において、認証情報バックアップ／リストア機能部３１ｂは、上述のステップＳ１１の処理にて行なった認証情報データの確認について、正しい形態の（正規の）認証情報データが記録媒体１６に存在するか否かの確認を行う。ここで、認証情報バックアップ／リストア機能部３１ｂは、正規の認証情報データが記録媒体１６に存在すると判断した場合には、ステップＳ１３の処理に進む。
【００８９】
一方、このステップＳ１２において、認証情報バックアップ／リストア機能部３１ｂは、正規の認証情報データが記録媒体１６に存在しないと判断した場合には、ステップＳ１８の処理に進む。
【００９０】
そして、ステップＳ１８において、第１ＣＰＵ３１は、所定の認証情報エラー表示処理を実行する。この認証情報エラー表示処理は、例えば第１ＣＰＵ３１がＴＦＴ液晶駆動回路９若しくはＬＣＤ表示回路２４を制御して、ＴＦＴパネル１０若しくはＬＣＤパネル２５の表示部において、所定のエラー表示を行うといった処理である（詳細は省略する）。その後、一連の処理を終了する。
【００９１】
上述のステップＳ１２の処理において、記録媒体１６のデータが正規の認証情報データであると判断されて、次のステップＳ１３の処理に進むと、このステップＳ１３において、認証情報バックアップ／リストア機能部３１ｂは、記録媒体１６より認証情報データを読み込んで、ＥＥＰＲＯＭ１９に記憶する処理を行う。この場合において、認証情報データは、記録媒体１６から記録媒体インターフェース１５，記録バッファ１４，第２ＣＰＵ３２，第１ＣＰＵ３１を介してＥＥＰＲＯＭ１９へと伝送され、当該ＥＥＰＲＯＭ１９の所定の記憶領域に所定の形態で記憶される。その後、次のステップＳ１４の処理に進む。
【００９２】
ステップＳ１４において、第１ＣＰＵ３１は、上述のステップＳ１３の処理にてＥＥＰＲＯＭ１９に書き込んだ認証情報データを同ＥＥＰＲＯＭ１９から読み込む処理（ベリファイ処理）を実行する。その後、次のステップＳ１５の処理に進む。
【００９３】
ステップＳ１５において、第１ＣＰＵ３１は、上述のステップＳ１４の処理にて読み込んだ認証情報データが正常であるかを確認し、さらに、同データと記録媒体１６から読み込んだ認証情報データ（読み込み元となったデータ）とを比較し同一であるか否かを確認するコンペア処理を実行する。その後、次のステップＳ１６の処理に進む。
【００９４】
ステップＳ１６において、第１ＣＰＵ３１は、上述のステップＳ１５にて実行したコンペア処理の結果についての判断を行う。ここで、コンペア処理が正常終了していると判断されたら、次のステップＳ１７の処理に進む。
【００９５】
一方、上述のステップＳ１６の処理において、第１ＣＰＵ３１は、コンペア処理が異常終了していると判断した場合には、ステップＳ１９の処理に進む。
【００９６】
そして、このステップＳ１９において、第１ＣＰＵ３１は、所定のリストアエラー表示処理を実行する。このリストアエラー表示処理は、例えば第１ＣＰＵ３１がＴＦＴ液晶駆動回路９若しくはＬＣＤ表示回路２４を制御して、ＴＦＴパネル１０若しくはＬＣＤパネル２５の表示部において、所定のエラー表示を行うといった処理である（詳細は省略する）。その後、一連の処理を終了する。
【００９７】
上述のステップＳ１６の処理において、コンペア処理の正常終了が確認されて、次のステップＳ１７に進むと、このステップＳ１７において、第１ＣＰＵ３１は、記録媒体インターフェース１５を制御して記録媒体１６の認証情報データを消去（削除）する処理を実行する。その後、一連の処理を終了する。
【００９８】
この一連の「認証情報データのリストア」処理によって、旧カメラから読み出され記録媒体１６に記憶保持されていた認証情報データ（第１の通信設定情報）は、新カメラのＥＥＰＲＯＭ１９（通信設定メモリ）に記憶保持されると共に、記録媒体１６から同認証情報データ（第１の通信設定情報）が消去（削除）される。
【００９９】
換言すれば、第１ＣＰＵ３１は、通信設定情報を通信設定メモリに記憶した後、記録媒体１６から通信設定情報を削除する設定情報削除手段としての役目をしている。
【０１００】
なお、ここで、新カメラのＥＥＰＲＯＭ１９に対して認証情報データをリストアした後に、記録媒体１６から同情報データを消去するようにしているが、これはデータのセキュリティ性を考慮して実行している処理である。したがって、記録媒体１６からのデータ消去については、必ずしも必要となる措置ではない。例えば、認証情報データが記憶された状態の記録媒体１６に対するセキュリティ性を確実に確保することができれば、記録媒体１６からのデータ消去工程を省略してもよい。
【０１０１】
続いて、上述のようにして新カメラのＥＥＰＲＯＭ１９に書き込まれ記憶保持された認証情報データを用いて、新カメラによる最初の「ＷＵＳＢ接続」処理を行う。この処理が上述の（５）−（６）項で示す処理である。
【０１０２】
まず、新カメラの電源がオン状態となっており同カメラが所定の動作モード（例えば無線通信接続動作モード等）で使用可能な状態にあるときに、まず、図５に示すステップＳ２１において、第１ＣＰＵ３１は、新カメラの接続先となる外部装置（ホスト）を検索する接続先検索処理を実行する。この接続先検索処理は、例えば次のような処理である。即ち、第１ＣＰＵ３１のシステムコントロール部３１ａのＷＵＳＢ通信制御機能部３１ｄは、無線アンテナ２１を介して外部無線データインターフェース２０から入力される信号を受けて、ＤＮＴＳ（Ｄevice Ｎotification Ｔime Ｓlot；デバイス通知タイムスロット）を発信している外部装置（ホスト；Ｈｏｓｔ）の有無を検索する処理である。その後、次のステップＳ２２の処理に進む。
【０１０３】
ステップＳ２２において、ＷＵＳＢ通信制御機能部３１ｄは、上述のステップＳ２１における接続先検索処理にて、外部装置を発見したか否かの確認を行う。ここで、外部装置を発見したと判断された場合には、次のステップＳ２３の処理に進む。
【０１０４】
また、ＷＵＳＢ通信制御機能部３１ｄは、外部装置が発見されなかったと判断した場合には、ステップＳ３８の処理に進む。
【０１０５】
ステップＳ３８において、第１ＣＰＵ３１は、接続先未検出警告表示処理を実行する。この接続先未検出警告表示処理は、例えば第１ＣＰＵ３１がＴＦＴ液晶駆動回路９若しくはＬＣＤ表示回路２４を制御して、ＴＦＴパネル１０若しくはＬＣＤパネル２５の表示部において、所定の表示、即ち接続先が未検出である旨の警告表示を行うといった処理である（詳細は省略する）。その後、一連の処理を終了する。
【０１０６】
上述のステップＳ２２の処理において、外部装置が発見されたと判断されて、次のステップＳ２３の処理に進むと、このステップＳ２３において、第１ＣＰＵ３１は、ＥＥＰＲＯＭ１９から認証情報データを読み込む処理を行う。その後、次のステップＳ２４の処理に進む。
【０１０７】
ステップＳ２４において、第１ＣＰＵ３１は、上述のステップＳ２１−Ｓ２２の処理において発見された外部装置が認証済みであるか否かの確認を、上述のステップＳ２３の処理で読み込んだ認証情報データに基づいて行う。ここで、外部装置が認証済みではなと判断された場合には、ステップＳ３５の処理に進む。
【０１０８】
ステップＳ３５において、第１ＣＰＵ３１は、上述のステップＳ２１−Ｓ２２で発見した外部装置を未認証接続候補として認証情報データとして登録処理を行うする。その後、次のステップＳ２６の処理に進む。
【０１０９】
一方、上述のステップＳ２４の処理において、第１ＣＰＵ３１は、上述のステップＳ２１−Ｓ２２の処理において発見された外部装置が認証済みであると判断した場合には、次のステップＳ２５の処理に進む。
【０１１０】
このステップＳ２５において、第１ＣＰＵ３１は、その外部装置を認証済みであり接続する候補として登録する処理を行う。その後、次のステップＳ２６の処理に進む。
【０１１１】
ステップＳ２６において、第１ＣＰＵ３１は、他の外部装置（ホスト）がないかどうかの確認を行う。ここで、第１ＣＰＵ３１は、その他の外部装置（ホスト）がないと判断した場合には、次のステップＳ２７の処理に進む。
【０１１２】
また、第１ＣＰＵ３１は、その他の外部装置（ホスト）があると判断した場合には、上述のステップＳ２４の処理に戻り、以降の処理を繰り返す。
【０１１３】
上述のステップＳ２６において、その他に外部装置（ホスト）がないと判断されて、ステップＳ２７の処理に進むと、このステップＳ２７において、第１ＣＰＵ３１は、ＴＦＴ液晶駆動回路９を介してＴＦＴパネル１０の表示部に所定の形態の「ホスト選択画面」を表示させる処理を行う。その後、次のステップＳ２８の処理に進む。
【０１１４】
ステップＳ２８において、使用者は、「ホスト選択画面」において所望の外部装置であるホストを選択する操作を行う。第１ＣＰＵ３１は、このときの選択操作によって生じる信号を待機する。その後、次のステップＳ２９の処理に進む。
【０１１５】
ステップＳ２９において、第１ＣＰＵ３１は、上述のステップＳ２８の処理において使用者が選択操作することで生じた指示信号を受けて、選択されたホストが認証済みであるか否かを確認する処理を行う。この場合において、選択されたホストが認証済みである場合には、次のステップＳ３０の処理に進む。一方、選択されたホストが認証済みではない場合には、ステップＳ３９の処理に進む。
【０１１６】
ステップＳ３９において、第１ＣＰＵ３１は、認証要求警告表示処理を実行する。この認証要求警告表示処理は、例えば第１ＣＰＵ３１がＴＦＴ液晶駆動回路９若しくはＬＣＤ表示回路２４を制御して、ＴＦＴパネル１０若しくはＬＣＤパネル２５の表示部において、所定の表示、即ち認証を要求する旨を警告する警告表示を行うといった処理である（詳細は省略する）。その後、一連の処理を終了する。
【０１１７】
上述のステップＳ２９において、選択されたホストが認証済みであると確認されて、ステップＳ３０の処理に進むと、このステップＳ３０において、第１ＣＰＵ３１は、外部無線データインターフェース２０，無線アンテナ２１を制御して、上記選択されたホスト（上述のステップＳ２８にて使用者が選択したホスト）に対して接続を要求する指示信号を発信する処理を行う。その後、次のステップＳ３１の処理に進む。
【０１１８】
ステップＳ３１において、第１ＣＰＵ３１は、例えば４ウェイハンドシェークによって接続相手となるホストと同じＣＫ（Ｃonnection Ｋey）を有していることを確認する処理を行う。その後、次のステップＳ３２の処理に進む。
【０１１９】
ステップＳ３２において、上述のステップＳ３１における確認処理における確認事項の結果についての判断を行う。ここで、ホストと同じＣＫ（Ｃonnection Ｋey）を有していることが確認されると、次のステップＳ３３の処理に進む。
【０１２０】
ステップＳ３３において、第１ＣＰＵ３１は、ホストに対して認証を許可する旨の回答を送信する処理を行う。その後、次のステップＳ３４の処理に進む。
【０１２１】
ステップＳ３４において第１ＣＰＵ３１は、所定のＷＵＳＢデータ通信処理（詳細は図６参照）を実行する。このＷＵＳＢデータ通信処理の実行が完了したら、一連の処理を終了する。
【０１２２】
一方、上述のステップＳ３２において、上述のステップＳ３１における確認処理における確認事項の結果についての判断を行う。ここで、ホストと同じＣＫ（Ｃonnection Ｋey）を有していないことが確認されると、テップＳ３６の処理に進む。
【０１２３】
ステップＳ３６において、第１ＣＰＵ３１は、認証失敗警告表示処理を実行する。認証失敗警告表示処理は、例えば第１ＣＰＵ３１がＴＦＴ液晶駆動回路９若しくはＬＣＤ表示回路２４を制御して、ＴＦＴパネル１０若しくはＬＣＤパネル２５の表示部において、所定の表示、即ち認証に失敗した旨を警告する警告表示を行うといった処理である（詳細は省略する）。その後、ステップＳ３７の処理に進む。
【０１２４】
ステップＳ３７において、第１ＣＰＵ３１は、全ての処理が完了したので、デジタルカメラと外部装置との無線通信の接続状態を解除する接続切断処理を実行する。その後、一連の処理を終了する。
【０１２５】
次に、上述の図５におけるステップＳ３４の処理、即ち図６に示す「ＷＵＳＢデータ通信」処理について、以下に説明する。
【０１２６】
ステップＳ４１において、第１ＣＰＵ３１は、図５のＷＵＳＢ接続処理に使用した認証情報データ（上記ステップＳ３３にて認証を確認したデータ）は正規のものであるか否かの確認を行う。
【０１２７】
即ち、上述の図５におけるＷＵＳＢ接続処理は、図３の認証情報データバックアップ処理及び図４の認証情報データリストア処理によって、旧カメラから新カメラへと引き継がれた認証情報データがそのまま利用されて、ＷＵＳＢ接続が確立されている状態にある。
【０１２８】
ところで、無線通信機能を有する機器においては、各機器毎に固有のＩＤ（ＣＤＩＤ）が割り振られており、この「ＣＤＩＤ情報」は、ＥＥＰＲＯＭ１９の所定の領域に記憶されていると共に、登録された認証情報データにも含まれている。
【０１２９】
つまり、上述の図３，図４のバックアップリストア処理を経て認証情報データを取得した新カメラは、この時点においては、当該新カメラのＥＥＰＲＯＭ１９に記憶されている認証情報データ中における「ＣＤＩＤ」は、旧カメラに対して割り振られた固有の「ＣＤＩＤ情報」のままであり、新カメラが有する「ＣＤＩＤ情報」とは異なるものとなっている。
【０１３０】
そこで、このステップＳ４１の処理において、「ＣＤＩＤ情報」等、各データの不一致等の有無を確認することによって、ＥＥＰＲＯＭ１９の認証情報データが、その機器に応じた正規のものであるか否かの判断を行う。
【０１３１】
上述のステップＳ４１の処理において、当該認証情報データが正規のものであることが確認されると、即ち例えば認証情報データ中の「ＣＤＩＤ情報」と当該新カメラの有する「ＣＤＩＤ情報」とが一致していると判断された場合には、ステップＳ４６の処理に進む。
【０１３２】
ステップＳ４６において、第１ＣＰＵ３１は、通常のＷＵＳＢデータ通信処理を実行する。その後、一連の処理を終了し、上述の図５の所定の処理に復帰する（リターン）。
【０１３３】
一方、上述のステップＳ４１において、第１ＣＰＵ３１は、図５のＷＵＳＢ接続処理に使用した認証情報データが正規のものではない、つまり「ＣＤＩＤ情報」に不一致があると判断した場合には、次のステップＳ４２の処理に進む。
【０１３４】
ステップＳ４２において、第１ＣＰＵ３１は、外部装置（ホスト）に対して独自再認証処理を要求する。その後、次のステップＳ４３の処理に進む。
【０１３５】
ステップＳ４３において、第１ＣＰＵ３１のシステムコントロール部３１ａの認証情報暗号通信機能部３１ｃは、通信のデータパケット（暗号化）にて認証情報データを新規に送受信する処理を行う。その後、次のステップＳ４４の処理に進む。
【０１３６】
ステップＳ４４において、第１ＣＰＵ３１は、新しく送受信したＣＣ（Ｃonnection Ｃontext）を、現在接続している外部装置（ホスト）に対応する認証情報データとして新カメラのＥＥＰＲＯＭ１９の所定の領域に所定の形態で上書き更新し、これを記憶する。これにより、ＥＥＰＲＯＭ１９に記憶されている認証情報データベースのうち、当該新カメラと現在接続中の外部装置との組み合わせにおいて無線接続を確立するための正規の認証情報データ、即ち新カメラの「ＣＤＩＤ情報」を含む認証情報データとして更新される。その後、次のステップＳ４５の処理に進む。
【０１３７】
なお、この時、ホスト側においても、同様に認証情報のデータの更新を行うようにする。
【０１３８】
ステップＳ４５において、第１ＣＰＵ３１のシステムコントロール部３１ａのＷＵＳＢ通信制御機能部３１ｄは、現在実行中のＷＵＳＢ通信処理による接続を切断する。その後、一連の処理を終了し、上述の図５の所定の処理に復帰する（リターン）。
【０１３９】
つまり、ＷＵＳＢ通信制御機能部３１ｄ（通信制御手段）は、旧カメラの認証情報データ（第１の通信設定情報）により確立した外部装置との通信を切断した後、新たに更新された認証情報データ（第２の通信設定情報）により外部装置との通信を確立する通信切換手段として機能している。
【０１４０】
以上説明したように上記第１の実施形態によれば、本カメラの第１ＣＰＵ３１は、使用中のデジタルカメラ（旧カメラ）の内部のＥＥＰＲＯＭ１９（通信設定メモリ）等に記憶保持されている認証情報データ（通信設定情報のうち通信手段に関する第１の通信設定情報）を一度記録媒体１６に記録した後、同認証情報データを記録媒体１６を介して新規導入のデジタルカメラ（新カメラ）のＥＥＰＲＯＭ１９に書き込み、その後、この認証情報データ（第１の通信設定情報）に基づいて外部装置との無線通信接続をまず確立させる。
【０１４１】
この最初の無線データ通信を行う際には、認証情報データの再度の確認が行われる。その際に、新カメラは、ＥＥＰＲＯＭ１９の認証情報データ（第１の通信設定情報）が、自身の「ＣＤＩＤ情報」を含む正規の認証情報データとなるように更新処理を行う。
【０１４２】
つまり、認証情報データ（第１の通信設定情報）に基づいて新カメラと外部装置との間で確立された無線通信を利用して、ＷＵＳＢ通信制御機能部３１ｄ（通信制御手段）は、新カメラと外部装置との通信を確立するための第２の通信設定情報を自動的に生成する。そして、これ以後は、通常の無線データ通信を行うことができるようになる。
【０１４３】
したがって、これによれば、デジタルカメラ等の無線機器の買い替え等に起因する認証情報データの旧機器から新機器への引き継ぎを容易に行うことができる。その際、面倒な認証作業を繰り返す手間を必要とせずに、新カメラと外部装置との間の無線データ通信を簡単に確立することができる。
【０１４４】
なお、上述の第１の実施形態においては、旧カメラから記録媒体１６に認証情報データを書き込み、その認証情報データが確実に記録媒体１６にコピーされたことが確認された時点で、旧カメラのＥＥＰＲＯＭ１９に記憶されている認証情報データを削除するようにしている。このことは、システムの安全性及び安定性を確保するためになされている措置である。なお、この場合において、旧カメラを再度無線通信にて使用する場合には、旧カメラによって新たに認証手続きを通常の手順にて実行する必要がある。
【０１４５】
これとは別に、例えば旧カメラのＥＥＰＲＯＭ１９から記録媒体１６へと認証情報データをコピーした後においても、旧カメラのＥＥＰＲＯＭ１９の認証情報データを削除せずに旧カメラ側に保持しておくようにしてもよい。新カメラ側で新しい認証情報データに更新がなされた後は、旧カメラは従来の認証情報データを用いて無線通信を再開することができる。ただし、この場合には、新カメラで新しい認証情報データを更新するまでは、一時的に同一の認証情報データを持つ異なる二つの無線機器（新旧カメラ）が存在することになる。したがって、このような状態にて両機器を用いて同時に無線通信を行ったりすると混信等が生じることが考えられる。したがって、それを避けるために、例えば新カメラに対する認証情報データの引き継ぎ操作を実行する際には、その完了手続きまで速やかに実行する必要がある。
【０１４６】
上述の第１の実施形態においては、記録媒体１６を介して認証情報データの受け渡し（バックアップ処理及びリストア処理）を行うようにしている。一方、これとは別の手段で認証情報データの受け渡しを行うことも可能である。
【０１４７】
次に示す本発明の第２の実施形態は、旧カメラのＥＥＰＲＯＭ１９の認証情報データを新カメラへと引き継ぐ際に行われるバックアップ処理及びリストア処理を有線ＵＳＢ接続を用いて行うというものである。その手順の流れとしては、
（１ａ）まず、旧カメラを特定の一つの外部装置（特定ホストという）に対して有線によるＵＳＢ接続を行って、認証情報データのバックアップ処理を実行する。これにより、旧カメラの認証情報データは、特定ホスト側の所定の記憶部等にバックアップ（記憶）される。
【０１４８】
（２ａ）次に、当該特定ホストと旧カメラとの接続を解除し、これに代えて同特定ホストと新カメラとを有線ＵＳＢ接続による通信を行って、認証情報データのリストア処理を実行する。これにより、特定ホスト側のバックアップデータ（旧カメラの認証情報データ）は新カメラのＥＥＰＲＯＭ１９に記録される。
【０１４９】
（３ａ）その後、上述の第１の実施形態における（５）項以降の工程、即ちＷＵＳＢ接続処理（図５参照）及びその処理中におけるＷＵＳＢデータ通信処理（図６参照）と全く同様に無線通信を利用して認証情報データの更新を行う。
【０１５０】
このようにして、新カメラは、登録し直した新しい認証情報を用いて、次回からの外部装置との無線通信を確立し適宜データ通信を行う。
【０１５１】
上述した作用を実現するための本実施形態のデジタルカメラの構成は、上述の第１の実施形態の構成（図１参照）と全く同様である。したがって、カメラの構成についての説明は省略する。
【０１５２】
本実施形態において、旧カメラの認証情報データを新カメラへと引き継ぐ際に行う有線ＵＳＢ接続によるバックアップ処理及びリストア処理の流れを、図７を用いて以下に説明する。
【０１５３】
図７は、本発明の第２の実施形態のデジタルカメラにおいて、有線ＵＳＢ接続による認証情報データのバックアップ処理及びリストア処理を示すフローチャートである。
【０１５４】
まず、旧カメラの外部有線データインターフェース（ＵＳＢ）２２と、特定の一つの外部装置（以下、特定ホストという）のＵＳＢインターフェース（図示せず）とを有線ＵＳＢ接続用ケーブル（図示せず）を用いて接続する。そして、旧カメラと特定ホストとを共に、通電状態とし、所定の動作モードで使用可能な状態とする。
【０１５５】
この状態にあるときに、使用者が所定の指示操作を行うことにより、第１ＣＰＵ３１は、有線ＵＳＢ接続のシーケンスを実行する動作モードに移行する。ここで、使用者による所定の指示操作とは、例えばキーマトリクス２３（図１参照）のうちカメラの動作モードを切り換える操作（操作部材若しくはメニュー画面からのソフトウエア的操作）等の行為である。
【０１５６】
カメラが有線ＵＳＢ接続処理に移行すると、まず、図７に示すステップＳ５１において、第１ＣＰＵ３１は、例えばＴＦＴ液晶駆動回路９を制御してＴＦＴパネル１０の表示部に、ＵＳＢ接続に関するメニュー画面（ＵＳＢメニュー画面という）の表示を行わせる表示処理を実行する。その後、ステップＳ５２の処理に進む。
【０１５７】
ここで、ＴＦＴパネル１０の表示部に表示されるＵＳＢメニュー画面の表示例を、図８に示す。図８に示すように、このＵＳＢメニュー画面にて選択指示し得る項目は、本カメラにおいて、有線ＵＳＢ接続を行う際に実行し得る各種動作形態を示している。本カメラが有線ＵＳＢ接続にて実行し得る動作形態としては、例えば、
接続相手先がパーソナルコンピュータ等の各種データ等を取り扱う情報機器、又は他のデジタルカメラ等である場合の「ＰＣ」接続，
接続相手先がプリンタ等の印刷用機器である場合の「プリント」接続，
接続相手先が無線通信機能を具備する外部装置である場合に認証情報データの送受信を行う場合の「認証送信」接続または「認証受信」接続
等がある。
【０１５８】
このＵＳＢメニュー画面がＴＦＴパネル１０の表示部に表示された状態において、使用者は、所定の操作部材（例えば十字キー等）を操作することにより、表示部に表示される所望の項目を選択し指示決定する。
【０１５９】
なお、「認証送信」接続は、旧カメラと特定ホストとを有線ＵＳＢにより接続して、例えばカメラのＥＥＰＲＯＭ１９にある認証情報データを、特定ホスト側の内部記憶手段（例えばフラッシュメモリ等のＥＥＰＲＯＭ等）に対してバックアップする等の場合に利用する動作形態である。
【０１６０】
また、「認証受信」接続は、例えばカメラと特定ホストとを有線ＵＳＢにより接続して、特定ホスト側の内部記憶手段に旧カメラから先にバックアップした認証情報データを、新カメラのＥＥＰＲＯＭ１９にリストアする等の場合に利用する動作形態である。
【０１６１】
ステップＳ５２において、第１ＣＰＵ３１は、上述のステップＳ５１の処理にて表示されるＵＳＢメニュー画面の表示中に行なわれた使用者による選択指示が「認証受信」または「認証送信」のいずれか、もしくはそれ以外であるかの確認を行う。ここで、「認証受信」または「認証送信」のいずれかが選択されていることが確認された場合には、次のステップＳ５３の処理に進む。
【０１６２】
また、ここで、「認証受信」または「認証送信」のいずれも選択されていないと判断された場合には、ステップＳ６２の処理に進む。
【０１６３】
ステップＳ６２において、第１ＣＰＵ３１は、ＵＳＢメニュー画面の表示中に行なわれた使用者による選択指示が「ＰＣ」であるか否かの確認をする。ここで、「ＰＣ」が選択されていることが確認されると、所定のＰＣ接続処理のシーケンスへと移行する。なお、ＰＣ接続処理のシーケンスについては、本実施形態と関連しない動作であるので、その説明は省略する。
【０１６４】
上述のステップＳ６２の処理において、「ＰＣ」が選択されていないと判断された場合には、ステップＳ６３の処理に進む。
【０１６５】
ステップＳ６３において、第１ＣＰＵ３１は、ＵＳＢメニュー画面の表示中に行なわれた使用者による選択指示が「プリント」であるか否かの確認をする。ここで、「プリント」が選択されていることが確認されると、所定のプリント接続シーケンスへと移行する。なお、プリント接続処理のシーケンスについては、本実施形態と関連しない動作であるので、その説明は省略する。
【０１６６】
また、上述のステップＳ６３において、「プリント」が選択されていないと判断された場合には、第１ＣＰＵ３１は、図８のＵＳＢメニュー画面において「終了」が選択されているか、若しくは当該ＵＳＢメニュー画面における何らの選択もなされずに他の操作部材等によって当該ＵＳＢメニュー表示のキャンセル操作がなされたものと判断されて、ステップＳ６１の処理に進む。
【０１６７】
ステップＳ６１において、第１ＣＰＵ３１は、ＵＳＢ通信終了処理を実行する。その後、一連の処理を終了する。
【０１６８】
一方、上述のステップＳ５２の処理において、「認証受信」または「認証送信」のいずれかが選択されていることが確認されて、次のステップＳ５３の処理に進むと、このステップＳ５３において、第１ＣＰＵ３１は、接続先認識処理を実行する。その後、次のステップＳ５４の処理に進む。この接続先認識処理は、有線ＵＳＢ接続により有線ＵＳＢ接続用ケーブルにて接続されている外部装置である特定ホストの内部記憶手段（例えばフラッシュメモリ等のＥＥＰＲＯＭ等）に記録されている内容を読み込んで、接続先の固有情報を認識する処理である。
【０１６９】
ステップＳ５４において、第１ＣＰＵ３１は、有線ＵＳＢ接続されている特定ホストが認証情報データの引き継ぎ機能を備えた外部装置であるか否かの確認を行う。ここで、特定ホストが認証引き継ぎ機能搭載ホストであることが確認されると、次のステップＳ５５の処理に進む。
【０１７０】
また、ここで、特定ホストが認証引き継ぎ機能搭載ホストではないと判断された場合には、ステップＳ６４の処理に進む。
【０１７１】
ステップＳ６４において、第１ＣＰＵ３１は、例えばＴＦＴ液晶駆動回路９を制御してＴＦＴパネル１０の表示部に接続先エラーである旨の表示処理を行った後、ステップＳ６１の処理に進む。
【０１７２】
ステップＳ６１において、第１ＣＰＵ３１は、ＵＳＢ通信終了処理を実行する。その後、一連の処理を終了する。
【０１７３】
一方、上述のステップＳ５４において、特定ホストが認証引き継ぎ機能搭載ホストであると確認されてステップＳ５５の処理に進むと、このステップＳ５５において、第１ＣＰＵ３１は、上述のステップＳ５１の処理にて表示されるＵＳＢメニュー画面の表示中に行なわれた使用者による選択指示が「認証送信」であるか否かの確認を行う。ここで、「認証送信」が選択されていない（「認証受信」が選択されている）と判断された場合には、次のステップＳ５６の処理に進む。
【０１７４】
ステップＳ５６において、第１ＣＰＵ３１は、リストアするホスト情報が特定ホスト側にあるか否かの確認を行う。ここで、リストアするホスト情報が特定ホスト側に存在することが確認された場合には、次のステップＳ５７の処理に進む。
【０１７５】
ステップＳ５７において、第１ＣＰＵ３１は、有線ＵＳＢ通信により特定ホスト側に記録されているホスト情報を受信して内部メモリ等に一時記憶し、これをＥＥＰＲＯＭ１９の所定の領域に記憶させる記録処理を実行する。その後、次のステップＳ５８の処理に進む。
【０１７６】
ステップＳ５８において、第１ＣＰＵ３１は、上述のステップＳ５７の処理においてＥＥＰＲＯＭ１９に記憶させたホスト情報（記録情報）と、上述のステップＳ５７の処理において受信し一時記憶されているホスト情報（受信情報）とを比較して、両情報が一致するか否か、つまり記録情報が正しく記録されているか否かの確認を行う。その後、次のステップＳ５９の処理に進む。
【０１７７】
ステップＳ５９において、第１ＣＰＵ３１は、上述のステップＳ５８の処理における確認結果の判断を行う。ここで、記録情報が正しく記録されていることが確認された場合には、次のステップＳ６０の処理に進む。
【０１７８】
ステップＳ６０において、第１ＣＰＵ３１は、有線ＵＳＢ接続されている特定ホスト（送信元ホスト）側の内部記憶手段に記録されている認証情報データの消去を要求する処理を実行する。その後、次のステップＳ６１の処理に進む。
【０１７９】
ステップＳ６１において、第１ＣＰＵ３１は、ＵＳＢ通信終了処理を実行する。その後、一連の処理を終了する。
【０１８０】
また、上述のステップＳ５９の処理において、記録情報が正しく記録されていないと判断された場合には、ステップＳ６９の処理に進む。
【０１８１】
ステップＳ６９において、第１ＣＰＵ３１は、例えばＴＦＴ液晶駆動回路９を制御してＴＦＴパネル１０の表示部にホスト情報の受信に失敗した旨の表示処理を実行する。その後、ステップＳ６１の処理に進む。
【０１８２】
ステップＳ６１において、第１ＣＰＵ３１は、ＵＳＢ通信終了処理を実行する。その後、一連の処理を終了する。
【０１８３】
一方、上述のステップＳ５５において、「認証送信」が選択されていると判断された場合には、ステップＳ６５の処理に進む。
【０１８４】
ステップＳ６５において、第１ＣＰＵ３１は、バックアップするホスト情報がカメラ側に存在するか否かの確認を行う。ここで、バックアップするホスト情報がカメラ側に存在することが確認された場合には、次のステップＳ６６の処理に進む。
【０１８５】
また、ここで、バックアップするホスト情報がカメラ側に存在しないと判断された場合には、ステップＳ６８の処理に進む。
【０１８６】
他方、上述のステップＳ５６において、リストアするホスト情報が特定ホスト側に存在しないと判断された場合にも、ステップＳ６８の処理に進む。
【０１８７】
ステップＳ６８において、第１ＣＰＵ３１は、例えばＴＦＴ液晶駆動回路９を制御してＴＦＴパネル１０の表示部にカメラ側にホスト情報が存在しない旨の表示処理を行う。その後、ステップＳ６１の処理に進む。
【０１８８】
ステップＳ６１において、第１ＣＰＵ３１は、ＵＳＢ通信終了処理を実行する。その後、一連の処理を終了する。
【０１８９】
一方、上述のステップＳ６５において、バックアップするホスト情報がカメラ側に存在することが確認されて、次のステップＳ６６の処理に進むと、このステップＳ６６において、第１ＣＰＵ３１は、ＥＥＰＲＯＭ１９からホスト情報を読み込んで、これを有線ＵＳＢ通信によって接続されている特定ホストへと送信する。これを受けて、特定ホスト側では、ホスト内部の記憶手段に受信したホスト情報を記憶する。その後、次のステップＳ６７の処理に進む。
【０１９０】
ステップＳ６７において、第１ＣＰＵ３１は、カメラのＥＥＰＲＯＭ１９の認証情報データを消去（削除）する処理を実行する。その後、次のステップＳ６１の処理に進む。
【０１９１】
ステップＳ６１において、第１ＣＰＵ３１は、ＵＳＢ通信終了処理を実行する。その後、一連の処理を終了する。
【０１９２】
このようにして、認証情報データのバックアップ処理及びリストア処理が完了したら、次に、新カメラと特定ホストとの間でＷＵＳＢ接続を行い、ＷＵＳＢデータ通信処理によって新カメラの認証情報データの更新を行う。この一連の処理は、上述の第１の実施形態における同工程と全く同様である（図５，図６参照）。
【０１９３】
以上説明したように上記第２の実施形態によれば、旧カメラと特定ホストとの間で有線ＵＳＢ接続による通信を行って、旧カメラのＥＥＰＲＯＭ１９に記憶される認証情報データを特定ホスト側にバックアップし、その後、当該特定ホストと旧カメラとの接続を解除し、これに代えて新カメラと同特定ホストとを有線ＵＳＢ接続して通信を行って、特定ホスト側のバックアップデータ（旧カメラの認証情報データ）を新カメラのＥＥＰＲＯＭ１９に記録するようにしている。
【０１９４】
したがって、これにより、認証処理等の不要な有線ＵＳＢ接続によって機器同士を接続して両者間の通信を行うことで、認証情報データ等の通信設定情報の引き継ぎを簡単にかつ迅速に行うことができる。
【０１９５】
なお、上述の第２の実施形態では、まず始めに有線ＵＳＢ接続通信を利用して、認証情報データを旧カメラから特定ホスト側にバックアップした後、旧カメラを新カメラに替えて同様の有線ＵＳＢ接続通信によって、特定ホスト側のバックアップデータ（旧カメラの認証情報データ）を新カメラのＥＥＰＲＯＭ１９に記録するようにしている。
【０１９６】
これとは別の手段として、無線接続によるバックアップ処理を行った後、有線ＵＳＢ接続によってリストア処理を行う手段も考えられる。この場合の変形例を以下に簡単に示す。
【０１９７】
（１ｂ）まず、旧カメラと特定ホストとの間で既に確立されている無線接続によって、旧カメラから特定ホスト側への認証情報データのバックアップ処理を実行する。
【０１９８】
（２ｂ）次に、上記（１ｂ）項でバックアップ処理を行った特定ホストと新カメラとの間で有線ＵＳＢ接続通信を行って、特定ホスト側の上記（１ｂ）項でバックアップした認証情報データ（旧カメラの認証情報データ）を新カメラのＥＥＰＲＯＭ１９へと記録するリストア処理を実行する。このリストア処理により、当該特定ホストから新カメラに対して、旧カメラで使用していた全ての認証情報データが転送される。
【０１９９】
（３ｂ）そして、当該特定ホストと新カメラとの有線ＵＳＢ接続を解除した後、上記（２ｂ）項のリストア処理にて転送された認証情報データ（旧カメラの認証情報データ）を利用して新カメラと特定ホストとの間の無線接続及び無線データ通信処理、即ち上述の第１の実施形態における（５）項以降の工程、即ちＷＵＳＢ接続処理（図５参照）及びその処理中におけるＷＵＳＢデータ通信処理（図６参照）と全く同様の処理にて無線通信を利用した認証情報データの更新を行う。
【０２００】
このようにして、新カメラは、登録し直した新しい認証情報を用いて、次回からの外部装置との無線通信を確立し適宜データ通信を行う。
【０２０１】
したがって、この変形例によれば、旧カメラから特定ホストへの認証情報データのバックアップ処理を、既に確立している無線通信を利用するので、バックアップ処理を行う際にカメラと外部装置（ホスト）との間のケーブル接続を行う必要がなく、効率良くバックアップ処理を実行することができる。また、リストア処理には、認証作業等の手続きが不要な有線接続通信を利用するので、両機器をケーブル接続し簡単な操作を行うのみで旧カメラの認証情報データを容易に取得できる。
【０２０２】
また、ＥＥＰＲＯＭ１９（通信設定メモリ）に記憶されている通信設定情報であって通信可能に設定されている全ての外部装置との通信のための通信設定情報は、設定情報伝送手段として機能し通信手段でもあるＷＵＳＢ通信制御機能部３１ｄによって、上記全ての外部装置のうちの一つに伝送される。
【０２０３】
ところで、上述の第２の実施形態では、有線ＵＳＢ接続による通信を利用して認証情報データの受け渡し（バックアップ処理及びリストア処理）を行うようにしている。また、上記変形例では、ＷＵＳＢ接続による無線通信を利用して認証情報データのバックアップ処理を行い、有線ＵＳＢ接続による通信を利用して認証情報データのリストア処理を行うようにしている。
【０２０４】
そこで、これらとは別の手段として、認証情報データのバックアップ処理及びリストア処理を共に、ＷＵＳＢ接続による無線通信を利用して行うことも考えられる。この場合の実施形態について、以下に説明する。
【０２０５】
図９は、本発明の第３の実施形態のデジタルカメラにおいて、ＷＵＳＢ接続による認証情報データのバックアップ処理及びリストア処理（ＷＵＳＢデータ通信処理）の流れを示すフローチャートである。
【０２０６】
なお、本実施形態のデジタルカメラの構成は、上述の第１の実施形態の構成（図１参照）と全く同様である。したがって、カメラの構成についての説明は省略する。
【０２０７】
まず、カメラと特定ホストとが共に電源オン状態となっており、カメラが所定の動作モードで使用可能な状態にあって、かつ接続相手先となる外部装置、例えばパーソナルコンピュータ等の情報機器（ホスト機器という）がＷＵＳＢデータ通信動作モードで使用可能な状態にあるものとする。
【０２０８】
この状態にあるときに、使用者は、カメラにおいて所定の指示操作を行う。これにより、カメラの第１ＣＰＵ３１は、ＷＵＳＢデータ通信のシーケンスを実行する動作モードに移行する。ここで、使用者による所定の指示操作とは、例えばキーマトリクス２３（図１参照）のうちカメラの動作モードを切り換える操作（操作部材若しくはメニュー画面からのソフトウエア的操作）等の行為である。
【０２０９】
カメラがＷＵＳＢデータ通信処理に移行すると、まず、図９に示すステップＳ７０において、第１ＣＰＵ３１は、例えばＴＦＴ液晶駆動回路９を制御してＴＦＴパネル１０の表示部に、ＷＵＳＢ接続に関するメニュー画面（ＷＵＳＢモード選択画面という。図１０参照）の表示を行わせる表示処理を実行する。その後、ステップＳ７１の処理に進む。
【０２１０】
ここで、ＴＦＴパネル１０の表示部に表示されるＷＵＳＢモード選択画面の表示例を、図１０に示す。図１０に示すように、このＷＵＳＢモード選択画面にて選択指示し得る項目は、本カメラにおいて、ＷＵＳＢデータ通信を行う際に実行し得る各種動作形態を示している。本カメラがＷＵＳＢデータ通信動作モードにて実行し得る動作形態としては、例えば、無線通信による通常のデータの送受信を行う「通常データ通信」動作モードと、無線通信による認証情報データのバックアップを行う際の「認証バックアップ」動作モードと、無線通信による認証情報データのリストアを行う際の「認証リストア」動作モード等がある。
【０２１１】
このＷＵＳＢモード選択画面がＴＦＴパネル１０の表示部に表示された状態において、使用者は、所定の操作部材（例えば十字キー等）を操作することにより、表示部に表示される所望の項目を選択し指示決定する。
【０２１２】
ステップＳ７１において、第１ＣＰＵ３１は、上述のステップＳ７０の処理において選択指示された動作モードが「通常データ通信」動作モードであるか否かの確認を行う。ここで、「通常データ通信」であることが確認された場合には、ステップＳ７５の処理に進み、このステップＳ７５において、第１ＣＰＵ３１は、通常データ通信処理を実行する。その後、ステップＳ７９の処理に進む。
【０２１３】
ステップＳ７９において、第１ＣＰＵ３１は、ＷＵＳＢ通信終了処理を実行する。その後、一連の処理を終了する。
【０２１４】
一方、上述のステップＳ７１において、選択指示されている動作モードが「通常データ通信」動作モードではないと判断された場合には、次のステップＳ７２の処理に進む。
【０２１５】
ステップＳ７２において、第１ＣＰＵ３１は、上述のステップＳ７０の処理において選択指示された動作モードが「ホスト情報バックアップ」モードであるか否かの確認を行う。ここで、選択指示されている「ホスト情報バックアップ」モードであることが確認された場合には、ステップＳ７６の処理に進む。
【０２１６】
なお、ここでホスト情報バックアップ処理を行うのは、例えば旧カメラ、即ち特定ホストとの間で、既にＷＵＳＢ接続による無線通信を行い無線データ通信を実行するための認証が確立されており、今まで使用していたデジタルカメラから特定ホストへと認証情報データを無線転送する場合が想定される。
【０２１７】
したがって、ステップＳ７６において、第１ＣＰＵ３１は、バックアップするホスト情報が旧カメラ自身に存在するか否かの確認を行う。ここで、バックアップするホスト情報が存在することが確認された場合には、次のステップＳ７７の処理に進む。
【０２１８】
ステップＳ７７において、第１ＣＰＵ３１は、ＷＵＳＢ接続による「暗号化通信」処理を行ってホスト情報を特定ホスト側（ＰＣ）へバックアップする。その後、ステップＳ７９の処理に進む。
【０２１９】
ステップＳ７９において、第１ＣＰＵ３１は、ＷＵＳＢ通信終了処理を実行する。その後、一連の処理を終了する。
【０２２０】
一方、上述のステップＳ７６の処理において、バックアップするホスト情報が存在しないと判断された場合には、ステップＳ７８の処理に進む。
【０２２１】
ステップＳ７８において、第１ＣＰＵ３１は、「ホスト情報なし表示」処理を実行する。その後、ステップＳ７９の処理に進む。ここで、「ホスト情報なし表示」処理は、例えば第１ＣＰＵ３１がＴＦＴ液晶駆動回路９を制御してＴＦＴパネル１０の表示部に、特定ホスト側にホスト情報が存在しない旨の表示を行わせる表示処理を実行する。
【０２２２】
そして、ステップＳ７９において、第１ＣＰＵ３１は、ＷＵＳＢ通信終了処理を実行する。その後、一連の処理を終了する。
【０２２３】
また、上述のステップＳ７２の処理において、上述のステップＳ７０の処理において選択指示された動作モードが「ホスト情報バックアップ」モードではないと判断された場合には、次のステップＳ７３の処理に進む。
【０２２４】
ステップＳ７３において、第１ＣＰＵ３１は、リストアするホスト情報が特定ホスト側に存在するか否かの確認を行う。ここで、リストアするホスト情報の存在が確認された場合には、ステップＳ７４の処理に進む。
【０２２５】
なお、このステップＳ７３の処理においては、リストアするホスト情報の存在の有無を確認するのであるが、このリストア用のホスト情報は、通常の場合、特定ホスト側にあるものと想定している。そして、リストア用ホスト情報がある場合に行われるリストア処理（後述するステップＳ７４の処理）は、例えば新カメラであって、予め特定ホストとの間でのみＷＵＳＢ接続による無線通信，無線データ通信を実行するための認証を確立してあるデジタルカメラが、特定ホストからの認証情報データの無線転送を受ける場合を想定している。
【０２２６】
したがって、図１０の「認証リストア」モードが選択指示される際には、新カメラと特定ホストとの間においては、上述の第２の実施形態の変形例における（２ｂ）項と同様に、予め従来通常手順による認証作業が実行済みであることが前提となる。
【０２２７】
そこで、ステップＳ７４において、第１ＣＰＵ３１は、新カメラと特定ホストとの間で「暗号化通信」処理を行ってホスト情報を特定ホスト側（ＰＣ）からリストアする処理を実行する。その後、ステップＳ７９の処理に進む。
【０２２８】
ステップＳ７９において、第１ＣＰＵ３１は、ＷＵＳＢ通信終了処理を実行する。その後、一連の処理を終了する。
【０２２９】
一方、上述のステップＳ７３の処理において、リストアするホスト情報が特定ホスト側に存在しないと判断された場合には、ステップＳ７８の処理に進む。
【０２３０】
ステップＳ７８において、第１ＣＰＵ３１は、「ホスト情報なし表示」処理を実行する。その後、ステップＳ７９の処理に進む。
【０２３１】
そして、ステップＳ７９において、第１ＣＰＵ３１は、ＷＵＳＢ通信終了処理を実行する。その後、一連の処理を終了する。
【０２３２】
このようにして、無線通信による認証情報データのバックアップ処理及びリストア処理が完了したら、次に、新カメラと特定ホストとの間でＷＵＳＢ接続を行って、このＷＵＳＢデータ通信処理によって新カメラの認証情報データの更新を行う。この一連の処理は、上述の第１の実施形態における同工程と全く同様である（図５，図６参照）。
【０２３３】
以上説明したように上記第３の実施形態によれば、旧カメラと特定ホストとの間で無線通信、即ちＷＵＳＢ接続による通信を行って、旧カメラのＥＥＰＲＯＭ１９に記憶される認証情報データを特定ホスト側へとバックアップし、その後、当該特定ホストと旧カメラとの接続を解除し、これに代えて新カメラと同特定ホストとを無線接続して通信を行って、特定ホスト側のバックアップデータ（旧カメラの認証情報データ）を新カメラのＥＥＰＲＯＭ１９に記録するようにしている。
【０２３４】
したがって、これにより、認証情報データ（通信設定情報）等の引き継ぎを簡単にかつ迅速に行うことができるという、上述の第１の実施形態と同様の効果を得ることができる。
【０２３５】
上述の第２実施形態及びその変形例，第３の実施形態においては、特定ホストを介して認証情報データの受け渡し（バックアップ処理及びリストア処理）を行うようにしている。この場合において、デジタルカメラの通信相手先である特定ホストとしては、例えばパーソナルコンピュータ等の情報機器を想定して説明している。
【０２３６】
しかしながら、本発明は、このような形態に限られることはなく、例えば旧カメラと新カメラとを直接、接続ケーブルを用いた有線ＵＳＢ接続して、旧カメラの認証情報データを新カメラへと受け渡す処理（上述の各実施形態におけるリストア処理と同等の処理）を実行するような形態としてもよい。以下に、この場合の実施形態について説明する。
【０２３７】
図１１は、本発明の第４の実施形態のデジタルカメラにおいて、カメラ同士を有線ＵＳＢ接続する際に認証情報データを譲り受ける処理（リストア処理と等価）の流れを示すフローチャートである。
【０２３８】
まず、旧カメラと新カメラとを例えば有線ＵＳＢ接続用ケーブルにて接続した状態で、新旧双方のカメラを電源オン状態として、かつ両カメラが所定の動作モード（例えば有線ＵＳＢ接続動作モード等）で使用可能な状態とする。
【０２３９】
この状態において、図１１に示すステップＳ８１において、第１ＣＰＵ３１は、例えばＴＦＴ液晶駆動回路９を制御してＴＦＴパネル１０の表示部に、ＵＳＢ接続に関するメニュー画面（ＵＳＢメニュー画面という）の表示を行わせる表示処理を実行する。その後、ステップＳ８２の処理に進む。
【０２４０】
ここで、ＴＦＴパネル１０の表示部に表示されるＵＳＢメニュー画面の表示例を、図１２に示す。図１２に示すように、このＵＳＢメニュー画面にて選択指示し得る項目は、本カメラにおいて、有線ＵＳＢ接続を行う際に実行し得る各種動作形態を示している。本カメラが有線ＵＳＢ接続にて実行し得る動作形態としては、例えば、
接続相手先がパーソナルコンピュータ等の各種データ等を取り扱う情報機器、又は他のデジタルカメラ等である場合の「ＰＣ」接続，
接続相手先がプリンタ等の印刷用機器である場合の「プリント」接続，
接続相手先が無線通信機能を具備する他のデジタルカメラである場合に認証情報データの受信を行う場合の「認証受信」接続
等がある。
【０２４１】
このＵＳＢメニュー画面がＴＦＴパネル１０の表示部に表示された状態において、使用者は、所定の操作部材（例えば十字キー等）を操作することにより、表示部に表示される所望の項目を選択し指示決定する。
【０２４２】
なお、「認証受信」接続は、例えば本カメラと他のカメラとを接続ケーブルを用いて直接、有線ＵＳＢ接続したとき、接続相手先の他のデジタルカメラ（使用中の旧カメラ）側のＥＥＰＲＯＭ１９等に記憶されている認証情報データを、新カメラのＥＥＰＲＯＭ１９にリストアする場合に利用する動作形態である。
【０２４３】
ステップＳ８２において、第１ＣＰＵ３１は、上述のステップＳ８１の処理にて表示されるＵＳＢメニュー画面の表示中に行なわれた使用者による選択指示が「認証受信」であるか否かの確認を行う。ここで、「認証受信」が選択されていることが確認された場合には、次のステップＳ８３の処理に進む。また、ここで、「認証受信」が選択されていないと判断された場合には、ステップＳ９０の処理に進む。
【０２４４】
ステップＳ９０において、第１ＣＰＵ３１は、ＵＳＢメニュー画面の表示中に行なわれた使用者による選択指示が「ＰＣ」であるか否かの確認をする。ここで、「ＰＣ」が選択されていることが確認されると、所定のＰＣ接続処理のシーケンスへと移行する。なお、ＰＣ接続処理のシーケンスについては、本実施形態と関連しない動作であるので、その説明は省略する。
【０２４５】
上述のステップＳ９０の処理において、「ＰＣ」が選択されていないと判断された場合には、ステップＳ９１の処理に進む。
【０２４６】
ステップＳ９１において、第１ＣＰＵ３１は、ＵＳＢメニュー画面の表示中に行なわれた使用者による選択指示が「プリント」であるか否かの確認をする。ここで、「プリント」が選択されていることが確認されると、所定のプリント接続シーケンスへと移行する。なお、プリント接続処理のシーケンスについては、本実施形態と関連しない動作であるので、その説明は省略する。
【０２４７】
また、上述のステップＳ９１において、「プリント」が選択されていないと判断された場合には、第１ＣＰＵ３１は、図１２のＵＳＢメニュー画面において「終了」が選択されているか、若しくは当該ＵＳＢメニュー画面における何らの選択もなされずに他の操作部材等によって当該ＵＳＢメニュー表示のキャンセル操作がなされたものと判断されて、ステップＳ９５の処理に進む。
【０２４８】
ステップＳ９５において、第１ＣＰＵ３１は、ＵＳＢ通信終了処理を実行する。その後、一連の処理を終了する。
【０２４９】
一方、上述のステップＳ８２の処理において、「認証受信」が選択されていることが確認されて、次のステップＳ８３の処理に進むと、このステップＳ８３において、第１ＣＰＵ３１は、接続先認識処理を実行する。その後、次のステップＳ８４の処理に進む。この接続先認識処理は、有線ＵＳＢ接続により接続ケーブルにて接続されている相手先となる旧カメラのＥＥＰＲＯＭ１９に記録されている内容を読み込んで、接続先の固有情報を認識する処理である。
【０２５０】
ステップＳ８４において、第１ＣＰＵ３１は、有線ＵＳＢ接続されている旧カメラが認証情報データの引き継ぎ機能を備えたデジタルカメラであるか否かの確認を行う。ここで、旧カメラが認証引き継ぎ機能搭載カメラであることが確認されると、次のステップＳ８５の処理に進む。また、ここで、旧カメラが認証引き継ぎ機能搭載カメラではないと判断された場合には、ステップＳ９２の処理に進む。
【０２５１】
ステップＳ９２において、第１ＣＰＵ３１は、例えばＴＦＴ液晶駆動回路９を制御してＴＦＴパネル１０の表示部に接続先エラーである旨の表示処理を行った後、ステップＳ９５の処理に進む。
【０２５２】
ステップＳ９５において、第１ＣＰＵ３１は、ＵＳＢ通信終了処理を実行する。その後、一連の処理を終了する。
【０２５３】
一方、上述のステップＳ８４の処理において、旧カメラが認証引き継ぎ機能搭載カメラであると確認されてステップＳ８５の処理に進むと、このステップＳ８５において、第１ＣＰＵ３１は、認証するホスト情報が旧カメラ側にあるか否かの確認を行う。ここで、認証するホスト情報が旧カメラ側に存在することが確認された場合には、次のステップＳ８６の処理に進む。また、ここで、認証するホスト情報が旧カメラ側に存在しないと判断された場合には、ステップＳ９３の処理に進む。
【０２５４】
ステップＳ９３において、第１ＣＰＵ３１は、例えばＴＦＴ液晶駆動回路９を制御してＴＦＴパネル１０の表示部に旧カメラ側にホスト情報が存在しない旨の表示処理を行う。その後、ステップＳ９５の処理に進む。
【０２５５】
ステップＳ９５において、第１ＣＰＵ３１は、ＵＳＢ通信終了処理を実行する。その後、一連の処理を終了する。
【０２５６】
上述のステップＳ８５の処理において、認証するホスト情報が旧カメラ側に存在することが確認されて、次のステップＳ８６の処理に進むと、このステップＳ８６において、第１ＣＰＵ３１は、有線ＵＳＢ通信により旧カメラ側のホスト情報を受信して内部メモリ等に一時記憶し、これをＥＥＰＲＯＭ１９の所定の領域に記憶させる記録処理を実行する。その後、次のステップＳ８７の処理に進む。
【０２５７】
ステップＳ８７において、第１ＣＰＵ３１は、上述のステップＳ８６の処理においてＥＥＰＲＯＭ１９に記憶させたホスト情報（記録情報）と、同処理ステップにおいて受信し一時記憶されているホスト情報（受信情報）とを比較して、両情報が一致するか否か、つまり記録情報が正しく記録されているか否かの確認を行う。その後、次のステップＳ８８の処理に進む。
【０２５８】
ステップＳ８８において、第１ＣＰＵ３１は、上述のステップＳ８７の処理における確認結果の判断を行う。ここで、記録情報が正しく記録されていることが確認された場合には、次のステップＳ８９の処理に進む。
【０２５９】
ステップＳ８９において、第１ＣＰＵ３１は、有線ＵＳＢ接続されている旧カメラ（送信元カメラ）側のＥＥＰＲＯＭ１９に記録されている認証情報データの消去を要求する処理を実行する。その後、次のステップＳ９５の処理に進む。
【０２６０】
ステップＳ９５において、第１ＣＰＵ３１は、ＵＳＢ通信終了処理を実行する。その後、一連の処理を終了する。
【０２６１】
一方、上述のステップＳ８８の処理において、記録情報が正しく記録されていないと判断された場合には、ステップＳ９４の処理に進む。
【０２６２】
ステップＳ９４において、第１ＣＰＵ３１は、例えばＴＦＴ液晶駆動回路９を制御してＴＦＴパネル１０の表示部にホスト情報の受信に失敗した旨の表示処理を実行する。その後、ステップＳ９５の処理に進む。
【０２６３】
ステップＳ９５において、第１ＣＰＵ３１は、ＵＳＢ通信終了処理を実行する。その後、一連の処理を終了する。
【０２６４】
このようにして、認証情報データのリストア処理が完了したら、当該新カメラと外部装置との間でＷＵＳＢ接続を行い、ＷＵＳＢデータ通信処理によって新カメラの認証情報データの更新を行う。この一連の処理は、上述の第１の実施形態における同工程と全く同様である（図５，図６参照）。
【０２６５】
以上説明したように上記第４の実施形態によれば、認証情報データを持つ旧カメラと、認証情報データを持たない新カメラとを直接、接続ケーブルを用いて有線ＵＳＢ接続し、新カメラにおいて旧カメラから認証情報データを読み込み記録する処理（上述の各実施形態におけるリストア処理と同等の処理）を実行するように構成している。
【０２６６】
これによれば、旧カメラの認証情報データを、新カメラによって直接読み込みＥＥＰＲＯＭ１９に記録することができる。したがって、認証情報データの受け渡しのための媒介物（例えば上述の各実施形態における記録媒体や特定ホスト等）を不要とし、上述の各実施形態におけるバックアップ処理等の手順を省略することができるにも関らず、上述の各実施形態における「リストア処理」と同等の処理を実行し、容易に認証情報データを旧カメラから新カメラへと引き継ぐことができる。
【０２６７】
ところで、ＷＵＳＢ接続通信の際に行われる機器間の認証作業において使用される認証情報には、上述したように各機器毎に割り振られる固有ＩＤ番号であるＣＤＩＤ情報１９ｂが含まれる（図２参照）。このＣＤＩＤ情報は、デジタルカメラにおいては、例えばＥＥＰＲＯＭ１９等に書き換え可能な状態で記憶保持されている。
【０２６８】
そこで、旧カメラから新カメラへと認証情報データを受け渡す際に、上記ＣＤＩＤ情報についても、旧カメラから新カメラへと受け継がせるようにすることもできる。このようにすれば、コピーした認証情報データをそのまま無加工にて使用することができるようになるので、上述の各実施形態で示すようにデータのリストア処理後の最初のデータ通信時に行われる認証情報データの更新処理を不要とすることができる。
【０２６９】
なお、この場合におけるＣＤＩＤ情報の取り扱いについては、例えば
（１ｃ）新カメラのＣＤＩＤ情報を旧カメラのＣＤＩＤ情報で上書き更新し、旧カメラのＣＤＩＤ情報をそのまま残しておく手段，
（２ｃ）旧カメラのＣＤＩＤ情報を新カメラのＣＤＩＤ情報に、新カメラのＣＤＩＤ情報を旧カメラのＣＤＩＤ情報に、それぞれ更新することで、ＣＤＩＤ情報を交換すると共に認識情報データの交換を行う手段，
等の場合が考えられる。
【０２７０】
具体的には、例えば、無線通信を利用する用途で使用中のカメラの所有者が、新たに同様の構成を具備するデジタルカメラを新規に導入する場合において、
上記（１ｃ）項の手順では、旧カメラの認証情報データとＣＤＩＤ情報とを、新カメラに引き継がせた後は、同じＣＤＩＤ情報を持つ二台のカメラが存在するようになるが、データ引き継ぎ以後は、一方のカメラ（旧カメラ）は使用しないことを前提とすれば、有効な手段となり得る。
【０２７１】
また、上記（１ｃ）項の手順は、例えば電気的な故障により修理のために回収されたカメラであって、ＥＥＰＲＯＭ１９等を含む部品交換により修理可能な場合においても、認証情報データやＣＤＩＤ情報の引き継ぎ後は、故障部品を以後使用することがないので、有効な手段となり得る。
【０２７２】
一方、上記（２ｃ）項の手順では、認識情報データとＣＤＩＤ情報とを交換することになるので、それぞれが固有ＩＤ番号を持ち、認識情報データも各ＩＤに対応するものが維持されることに変わりがない。したがって、この場合には、認証情報データの引き継ぎ以降においても、旧カメラを再度使用し得る可能性が残される。
【０２７３】
ここで、認証情報データに加えてＣＤＩＤ情報をも、旧カメラから新カメラへと受け継がせるようにした実施形態について、以下に説明する。
【０２７４】
図１３は、本発明の第５の実施形態のデジタルカメラにおいて、カメラ同士を有線ＵＳＢ接続する際に認証情報データ及びＣＤＩＤ情報を譲り受ける処理の流れを示すフローチャートである。なお、本実施形態のデジタルカメラにおいては、ＣＤＩＤ情報及び認識情報データを、旧カメラと新カメラとで交換する形態を例示している。
【０２７５】
まず、上述の第４の実施形態と同様に、旧カメラと新カメラとを例えば有線ＵＳＢ接続用ケーブルにて接続した状態で、新旧双方のカメラを電源オン状態として、かつ両カメラが所定の動作モード（例えば有線ＵＳＢ接続動作モード等）で使用可能な状態とする。
【０２７６】
この状態において、図１３に示すステップＳ１０１において、第１ＣＰＵ３１は、例えばＴＦＴ液晶駆動回路９を制御してＴＦＴパネル１０の表示部に、ＵＳＢ接続に関するメニュー画面（ＵＳＢメニュー画面という）の表示を行わせる表示処理を実行する。その後、ステップＳ１０２の処理に進む。
【０２７７】
ここで、ＴＦＴパネル１０の表示部に表示されるＵＳＢメニュー画面の表示例を、図１４に示す。この図１４に示すように、このＵＳＢメニュー画面にて選択指示し得る項目は、本カメラにおいて、有線ＵＳＢ接続を行う際に実行し得る各種動作形態を示している。なお、このＵＳＢメニュー表示の例は、上述の第４の実施形態における表示例（図１２参照）対して「認証受信」の項目に替えて「ＣＤＩＤ情報交換」の項目とした点が異なるのみである。
【０２７８】
このＵＳＢメニュー画面がＴＦＴパネル１０の表示部に表示された状態において、使用者は、所定の操作部材（例えば十字キー等）を操作することにより、表示部に表示される所望の項目を選択し指示決定する。
【０２７９】
ここで、「ＣＤＩＤ情報交換」の項目を選択指示した場合には、例えば本カメラと他のカメラとを接続ケーブルを用いて直接、有線ＵＳＢ接続したとき、接続された新旧双方のカメラの各ＥＥＰＲＯＭ１９等に記憶されている互いの認証情報データ及びＣＤＩＤ情報を交換する処理が行われるようになっている。
【０２８０】
ステップＳ１０２において、第１ＣＰＵ３１は、上述のステップＳ１０１の処理にて表示されるＵＳＢメニュー画面の表示中に行なわれた使用者による選択指示が「ＣＤＩＤ情報交換」であるか否かの確認を行う。ここで、「ＣＤＩＤ情報交換」が選択されていることが確認された場合には、次のステップＳ１０３の処理に進む。また、ここで、「ＣＤＩＤ情報交換」が選択されていないと判断された場合には、ステップＳ１１２の処理に進む。
【０２８１】
ステップＳ１１２において、第１ＣＰＵ３１は、ＵＳＢメニュー画面の表示中に行なわれた使用者による選択指示が「ＰＣ」であるか否かの確認をする。ここで、「ＰＣ」が選択されていることが確認されると、所定のＰＣ接続処理のシーケンスへと移行する。なお、ＰＣ接続処理のシーケンスについては、本実施形態と関連しない動作であるので、その説明は省略する。
【０２８２】
上述のステップＳ１１２の処理において、「ＰＣ」が選択されていないと判断された場合には、ステップＳ１１３の処理に進む。
【０２８３】
ステップＳ１１３において、第１ＣＰＵ３１は、ＵＳＢメニュー画面の表示中に行なわれた使用者による選択指示が「プリント」であるか否かの確認をする。ここで、「プリント」が選択されていることが確認されると、所定のプリント接続シーケンスへと移行する。なお、プリント接続処理のシーケンスについては、本実施形態と関連しない動作であるので、その説明は省略する。
【０２８４】
また、上述のステップＳ１１３において、「プリント」が選択されていないと判断された場合には、第１ＣＰＵ３１は、図１４のＵＳＢメニュー画面において「終了」が選択されているか、若しくは当該ＵＳＢメニュー画面における何らの選択もなされずに他の操作部材等によって当該ＵＳＢメニュー表示のキャンセル操作がなされたものと判断されて、ステップＳ１１１の処理に進む。
【０２８５】
ステップＳ１１１において、第１ＣＰＵ３１は、ＵＳＢ通信終了処理を実行する。その後、一連の処理を終了する。
【０２８６】
一方、上述のステップＳ１０２の処理において、「ＣＤＩＤ情報交換」が選択されていることが確認されて、次のステップＳ１０３の処理に進むと、このステップＳ１０３において、第１ＣＰＵ３１は、接続先認識処理を実行する。その後、次のステップＳ１０４の処理に進む。この接続先認識処理は、有線ＵＳＢ接続により接続ケーブルにて接続されている相手先となる旧カメラのＥＥＰＲＯＭ１９に記録されている内容を読み込んで、接続先の固有情報を認識する処理である。
【０２８７】
ステップＳ１０４において、第１ＣＰＵ３１は、有線ＵＳＢ接続されている旧カメラがＣＤＩＤ情報の交換に対応したデジタルカメラであるか否かの確認を行う。ここで、旧カメラがＣＤＩＤ情報の交換に対応したカメラであることが確認されると、次のステップＳ１０５の処理に進む。また、ここで、旧カメラがＣＤＩＤ情報の交換に対応したカメラではないと判断された場合には、ステップＳ１１４の処理に進む。
【０２８８】
ステップＳ１１４において、第１ＣＰＵ３１は、例えばＴＦＴ液晶駆動回路９を制御してＴＦＴパネル１０の表示部に接続先エラーである旨の表示処理を行った後、ステップＳ１１１の処理に進む。
【０２８９】
ステップＳ１１１において、第１ＣＰＵ３１は、ＵＳＢ通信終了処理を実行する。その後、一連の処理を終了する。
【０２９０】
一方、上述のステップＳ１０４の処理において、旧カメラがＣＤＩＤ情報の交換に対応したカメラであると確認されてステップＳ１０５の処理に進むと、このステップＳ１０５において、第１ＣＰＵ３１は、ホスト情報の有線ＵＳＢ通信による交換処理を実行する。この時点においては、元から有するホスト情報をそのままに、接続相手先のカメラのホスト情報を内部メモリ等に一時記憶する。その後、次のステップＳ１０６の処理に進む。
【０２９１】
ステップＳ１０６において、第１ＣＰＵ３１は、ＣＤＩＤ情報の有線ＵＳＢ通信による交換処理を実行する。この時点においては、元から有するＣＤＩＤ情報をそのままに、接続相手先のカメラのＣＤＩＤ情報を内部メモリ等に一時記憶する。その後、次のステップＳ１０７の処理に進む。
【０２９２】
ステップＳ１０７において、第１ＣＰＵ３１は、上述のステップＳ１０５，Ｓ１０６の処理で交換したホスト情報及びＣＤＩＤ情報との組み合わせが正しく受信できているか否かの確認を行う。その後、ステップＳ１０８の処理に進む。
【０２９３】
ステップＳ１０８において、第１ＣＰＵ３１は、通信相手側のカメラにおいても交換したホスト情報及びＣＤＩＤ情報との組み合わせが正しく受信できているか否かの確認を行う。その後、ステップＳ１０９の処理に進む。
【０２９４】
ステップＳ１０９において、第１ＣＰＵ３１は、上述のステップＳ１０７，Ｓ１０８の処理における確認結果の判断を行う。ここで、双方のカメラにおいて共に記録情報が正しく記録されていることが確認された場合には、次のステップＳ１１０の処理に進む。
【０２９５】
ステップＳ１１０において、第１ＣＰＵ３１は、カメラのＥＥＰＲＯＭ１９の元からある認証情報データ及びＣＤＩＤ情報を、内部メモリ等に一時記憶しておいた認証情報データ及びＣＤＩＤ情報に置き換えた後、元からある旧い認証情報データ及びＣＤＩＤ情報を消去する処理を行う。その後、次のステップＳ１１１の処理に進む。
【０２９６】
ステップＳ１１１において、第１ＣＰＵ３１は、ＵＳＢ通信終了処理を実行する。その後、一連の処理を終了する。
【０２９７】
一方、上述のステップＳ１０９の処理において、記録情報が正しく記録されていないと判断された場合には、ステップＳ１１５の処理に進む。
【０２９８】
ステップＳ１１５において、第１ＣＰＵ３１は、例えばＴＦＴ液晶駆動回路９を制御してＴＦＴパネル１０の表示部にホスト情報の受信に失敗した旨の表示処理を実行する。その後、ステップＳ１１１の処理に進む。
【０２９９】
ステップＳ１１１において、第１ＣＰＵ３１は、ＵＳＢ通信終了処理を実行する。その後、一連の処理を終了する。
【０３００】
このようにして、認証情報データ及びＣＤＩＤ情報の交換処理が完了したら、その時点において、新カメラは、旧カメラによって使用していたのと全く同様の設定で外部装置との間でＷＵＳＢ接続を行ってＷＵＳＢデータ通信処理を実行することができるようになる。
【０３０１】
以上説明したように上記第５の実施形態によれば、新旧カメラを直接、接続ケーブルを用いて有線ＵＳＢ接続し、双方のカメラの認証情報データとＣＤＩＤ情報とを交換する処理を実行するように構成している。
【０３０２】
これによれば、認証情報データ及びＣＤＩＤ情報の交換処理が完了した時点において、認識情報データを有する新カメラは、すぐに旧カメラで使用していた設定と全く同様の設定にて、ＷＵＳＢ接続によるデータ通信を行うことができるようになる。
【０３０３】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【０３０４】
【図１】本発明の第１の実施形態のデジタルカメラの主な構成を示すブロック構成図。
【図２】図１のデジタルカメラにおいて登録されるＷＵＳＢ認証情報のデータ形態の一例を示す概念図。
【図３】図１のデジタルカメラにおいて、使用中のデジタルカメラから別のデジタルカメラへ認証情報を引き継ぐ際の作用を示す図であって、「認証情報データのバックアップ」処理を示すフローチャート。
【図４】図１のデジタルカメラにおいて、使用中のデジタルカメラから別のデジタルカメラへ認証情報を引き継ぐ際の作用を示す図であって、「認証情報データのリストア」処理を示すフローチャート。
【図５】図１のデジタルカメラにおいて、使用中のデジタルカメラから別のデジタルカメラへ認証情報を引き継ぐ際の作用を示す図であって、新カメラによる最初の「ＷＵＳＢ接続」処理を示すフローチャート。
【図６】図１のデジタルカメラにおいて、使用中のデジタルカメラから別のデジタルカメラへ認証情報を引き継ぐ際の作用を示す図であって、「ＷＵＳＢデータ通信」処理を示すフローチャート。
【図７】本発明の第２の実施形態のデジタルカメラにおいて、有線ＵＳＢ接続による認証情報データのバックアップ処理及びリストア処理を示すフローチャート。
【図８】本発明の第２の実施形態のデジタルカメラにおいて、ＴＦＴパネルの表示部に表示されるＵＳＢメニュー画面の表示例を示す図。
【図９】本発明の第３の実施形態のデジタルカメラにおいて、ＷＵＳＢ接続による認証情報データのバックアップ処理及びリストア処理（ＷＵＳＢデータ通信処理）の流れを示すフローチャート。
【図１０】本発明の第３の実施形態のデジタルカメラにおいて、ＴＦＴパネルの表示部に表示されるＷＵＳＢモード選択画面の表示例を示す図。
【図１１】本発明の第４の実施形態のデジタルカメラにおいて、カメラ同士を有線ＵＳＢ接続する際に認証情報データを譲り受ける処理（リストア処理と等価）の流れを示すフローチャート。
【図１２】本発明の第４の実施形態のデジタルカメラにおいて、ＴＦＴパネルの表示部に表示されるＵＳＢメニュー画面の表示例を示す図。
【図１３】本発明の第５の実施形態のデジタルカメラにおいて、カメラ同士を有線ＵＳＢ接続する際に認証情報データ及びＣＤＩＤ情報を譲り受ける処理の流れを示すフローチャート。
【図１４】本発明の第５の実施形態のデジタルカメラにおいて、ＴＦＴパネルの表示部に表示されるＵＳＢメニュー画面の表示例を示す図。
【符号の説明】
【０３０５】
１６……記録媒体
１９……ＥＥＰＲＯＭ
１９ａ……ＷＵＳＢ認証情報
１９ｂ……ＣＤＩＤ情報
２０……外部無線データインターフェース（ＷＵＳＢ）
２１……無線アンテナ
２２……外部無線データインターフェース
２３……キーマトリクス
３１……第１ＣＰＵ
３１ａ……システムコントロール部
３１ｂ……認証情報バックアップ／リストア機能部
３１ｃ……認証情報暗号通信機能部
３１ｄ……通信制御機能部
３２……第２ＣＰＵ      
３２ｃ……画像圧縮伸張部
３２ｄ……記録媒体アクセス部
【図１】
2008147891.tif 000003
【図２】
2008147891.tif 000004
【図３】
2008147891.tif 000005
【図４】
2008147891.tif 000006
【図５】
2008147891.tif 000007
【図６】
2008147891.tif 000008
【図７】
2008147891.tif 000009
【図８】
2008147891.tif 000010
【図９】
2008147891.tif 000011
【図１０】
2008147891.tif 000012
【図１１】
2008147891.tif 000013
【図１２】
2008147891.tif 000014
【図１３】
2008147891.tif 000015
【図１４】
2008147891.tif 000016